(57)【要約】【課題】  等価直列抵抗の制御を容易に且つ精度良く行うことが可能な積層コンデンサ、及び、積層コンデンサの等価直列抵抗調整方法を提供すること。【解決手段】  積層体１は、複数の誘電体層１１〜３５と、複数の第１及び第１の内部電極５１〜６２，７１〜８２とが交互に積層されることにより構成される。第１の内部電極５１〜６２は、スルーホール導体１３１ａ〜１５３ａ及び内部導体１１１〜１２２を介して互いに電気的に接続される。第１の内部電極５１〜５４は、引き出し導体１７１〜１７４を介して第１の端子電極に電気的に接続される。第２の内部電極７１〜８２は、スルーホール導体１３１ｂ〜１５３ｂ及び内部導体９１〜１０２を介して互いに電気的に接続される。第２の内部電極７１〜７４は、引き出し導体１８１〜１８４を介して第２の端子電極に電気的に接続される。【選択図】  図２
2006210421.tif 000002
【特許請求の範囲】
【請求項１】
複数の誘電体層と複数の内部電極とが交互に積層された積層体と、当該積層体に形成された複数の端子電極と、を備えた積層コンデンサであって、
前記複数の内部電極は、交互に配置される複数の第１の内部電極と複数の第２の内部電極とを含み、
前記複数の端子電極は、少なくとも３つの端子電極を含み、
前記複数の第１の内部電極は、スルーホール導体を介して互いに電気的に接続され、
前記複数の第２の内部電極は、スルーホール導体を介して互いに電気的に接続され、
前記複数の第１の内部電極のうち少なくとも２つの第１の内部電極は、前記少なくとも３つの端子電極のうちの２つ以上当該端子電極の総数よりも少なくとも１つ少ない数以下のそれぞれ異なる端子電極に引き出し導体を介して電気的に接続され、
前記複数の第２の内部電極のうち少なくとも１つの第２の内部電極は、前記第１の内部電極に前記引き出し導体を介して電気的に接続された前記端子電極以外の残りの端子電極に引き出し導体を介して電気的に接続され、
前記引き出し導体を介して前記端子電極に電気的に接続される前記第１の内部電極及び前記第２の内部電極の少なくとも一方の内部電極の数を調整することにより、等価直列抵抗が所望の値に設定されていることを特徴とする積層コンデンサ。
【請求項２】
複数の誘電体層と複数の内部電極とが交互に積層された積層体と、当該積層体に形成された複数の端子電極と、を備えた積層コンデンサであって、
前記複数の内部電極は、交互に配置される複数の第１の内部電極と複数の第２の内部電極とを含み、
前記複数の端子電極は、少なくとも３つの端子電極を含み、
前記複数の第１の内部電極は、スルーホール導体を介して互いに電気的に接続され、
前記複数の第２の内部電極は、スルーホール導体を介して互いに電気的に接続され、
前記複数の第１の内部電極のうち少なくとも２つの第１の内部電極は、前記少なくとも３つの端子電極のうちの２つ以上当該端子電極の総数よりも少なくとも１つ少ない数以下のそれぞれ異なる端子電極に引き出し導体を介して電気的に接続され、
前記複数の第２の内部電極のうち少なくとも１つの第２の内部電極は、前記第１の内部電極に前記引き出し導体を介して電気的に接続された前記端子電極以外の残りの端子電極に引き出し導体を介して電気的に接続され、
前記引き出し導体を介して前記端子電極に電気的に接続される前記第１の内部電極及び前記第２の内部電極の少なくとも一方の内部電極の前記積層体の積層方向での位置を調整することにより、等価直列抵抗が所望の値に設定されていることを特徴とする積層コンデンサ。
【請求項３】
複数の誘電体層と複数の内部電極とが交互に積層された積層体と、当該積層体に形成された複数の端子電極と、を備えた積層コンデンサであって、
前記複数の内部電極は、交互に配置される複数の第１の内部電極と複数の第２の内部電極とを含み、
前記複数の端子電極は、少なくとも３つの端子電極を含み、
前記複数の第１の内部電極は、スルーホール導体を介して互いに電気的に接続され、
前記複数の第２の内部電極は、スルーホール導体を介して互いに電気的に接続され、
前記複数の第１の内部電極のうち少なくとも１つの第１の内部電極は、前記少なくとも３つの端子電極のうちの２つ以上当該端子電極の総数よりも少なくとも１つ少ない数以下の端子電極にそれぞれ引き出し導体を介して電気的に接続され、
前記複数の第２の内部電極のうち少なくとも１つの第２の内部電極は、前記第１の内部電極に前記引き出し導体を介して電気的に接続された前記端子電極以外の残りの端子電極に引き出し導体を介して電気的に接続され、
前記引き出し導体を介して前記端子電極に電気的に接続される前記第１の内部電極及び第２の内部電極の少なくとも一方の内部電極の数を調整することにより、等価直列抵抗が所望の値に設定されていることを特徴とする積層コンデンサ。
【請求項４】
複数の誘電体層と複数の内部電極とが交互に積層された積層体と、当該積層体に形成された複数の端子電極と、を備えた積層コンデンサであって、
前記複数の内部電極は、交互に配置される複数の第１の内部電極と複数の第２の内部電極とを含み、
前記複数の端子電極は、少なくとも３つの端子電極を含み、
前記複数の第１の内部電極は、スルーホール導体を介して互いに電気的に接続され、
前記複数の第２の内部電極は、スルーホール導体を介して互いに電気的に接続され、
前記複数の第１の内部電極のうち少なくとも１つの第１の内部電極は、前記少なくとも３つの端子電極のうちの２つ以上当該端子電極の総数よりも少なくとも１つ少ない数以下の端子電極にそれぞれ引き出し導体を介して電気的に接続され、
前記複数の第２の内部電極のうち少なくとも１つの第２の内部電極は、前記第１の内部電極に前記引き出し導体を介して電気的に接続された前記端子電極以外の残りの端子電極に引き出し導体を介して電気的に接続され、
前記引き出し導体を介して前記端子電極に電気的に接続される前記第１の内部電極及び第２の内部電極の少なくとも一方の内部電極の前記積層体の積層方向での位置を調整することにより、等価直列抵抗が所望の値に設定されていることを特徴とする積層コンデンサ。
【請求項５】
前記複数の端子電極は、２つ以上の第１の端子電極と２つ以上の第２の端子電極とを含んでおり、
前記複数の第１の内部電極は、前記引き出し導体及び前記スルーホール導体を通して前記２つ以上の第１の端子電極に電気的に接続され、
前記複数の第２の内部電極は、前記引き出し導体及び前記スルーホール導体を通して前記２つ以上の第２の端子電極に電気的に接続されていることを特徴とする請求項１〜４のいずれか一項に記載の積層コンデンサ。
【請求項６】
前記複数の第１の内部電極同士を電気的に接続する前記スルーホール導体の数と前記複数の第２の内部電極同士を電気的に接続する前記スルーホール導体の数とをそれぞれ更に調整することにより、等価直列抵抗が所望の値に設定されていることを特徴とする請求項１〜５のいずれか一項に記載の積層コンデンサ。
【請求項７】
前記複数の第１の内部電極同士は、並列接続されており、
前記複数の第２の内部電極同士は、並列接続されていることを特徴とする請求項１〜６のいずれか一項に記載の積層コンデンサ。
【請求項８】
複数の誘電体層と複数の内部電極とが交互に積層された積層体と、当該積層体に形成された複数の端子電極と、を備えた積層コンデンサであって、
交互に配置される第１の数の第１の内部電極と第２の数の第２の内部電極とを前記複数の内部電極として含むコンデンサ部を有しており、
前記第１の数の第１の内部電極は、スルーホール導体を介して互いに電気的に接続され、
前記第２の数の第２の内部電極は、スルーホール導体を介して互いに電気的に接続され、
前記第１の数の第１の内部電極のうち１つ以上前記第１の数よりも１つ少ない数以下の第１の内部電極は、前記複数の端子電極のうちそれぞれ異なる端子電極に引き出し導体を介して電気的に接続され、
前記第２の数の第２の内部電極のうち１つ以上前記第２の数よりも１つ少ない数以下の第２の内部電極は、前記第１の内部電極に前記引き出し導体を介して電気的に接続された前記端子電極以外の残りの端子電極のうちそれぞれ異なる端子電極に引き出し導体を介して電気的に接続され、
前記引き出し導体を介して前記端子電極に電気的に接続される前記第１の内部電極及び前記第２の内部電極の少なくとも一方の内部電極の数を調整することにより、等価直列抵抗が所望の値に設定されていることを特徴とする積層コンデンサ。
【請求項９】
複数の誘電体層と複数の内部電極とが交互に積層された積層体と、当該積層体に形成された複数の端子電極と、を備えた積層コンデンサであって、
交互に配置される第１の数の第１の内部電極と第２の数の第２の内部電極とを前記複数の内部電極として含むコンデンサ部を有しており、
前記第１の数の第１の内部電極は、スルーホール導体を介して互いに電気的に接続され、
前記第２の数の第２の内部電極は、スルーホール導体を介して互いに電気的に接続され、
前記第１の数の第１の内部電極のうち１つ以上前記第１の数よりも１つ少ない数以下の第１の内部電極は、前記複数の端子電極のうちそれぞれ異なる端子電極に引き出し導体を介して電気的に接続され、
前記第２の数の第２の内部電極のうち１つ以上前記第２の数よりも１つ少ない数以下の第２の内部電極は、前記第１の内部電極に前記引き出し導体を介して電気的に接続された前記端子電極以外の残りの端子電極のうちそれぞれ異なる端子電極に引き出し導体を介して電気的に接続され、
前記引き出し導体を介して前記端子電極に電気的に接続される前記第１の内部電極及び前記第２の内部電極の少なくとも一方の内部電極の前記積層体の積層方向での位置を調整することにより、等価直列抵抗が所望の値に設定されていることを特徴とする積層コンデンサ。
【請求項１０】
複数の誘電体層と複数の内部電極とが交互に積層された積層体と、当該積層体に形成された複数の端子電極と、を備えた積層コンデンサであって、
交互に配置される第１の数の第１の内部電極と第２の数の第２の内部電極とを前記複数の内部電極として含むコンデンサ部を有しており、
前記第１の数の第１の内部電極は、スルーホール導体を介して互いに電気的に接続され、
前記第２の数の第２の内部電極は、スルーホール導体を介して互いに電気的に接続され、
前記第１の数の第１の内部電極のうち１つ以上前記第１の数よりも１つ少ない数以下の第１の内部電極は、前記複数の端子電極のうち少なくとも１つの端子電極にそれぞれ引き出し導体を介して電気的に接続され、
前記第２の数の第２の内部電極のうち１つ以上前記第２の数よりも１つ少ない数以下の第２の内部電極は、前記第１の内部電極に前記引き出し導体を介して電気的に接続された前記端子電極以外の残りの端子電極のうち少なくとも１つの端子電極にそれぞれ引き出し導体を介して電気的に接続され、
前記引き出し導体を介して前記端子電極に電気的に接続される前記第１の内部電極及び第２の内部電極の少なくとも一方の内部電極の数を調整することにより、等価直列抵抗が所望の値に設定されていることを特徴とする積層コンデンサ。
【請求項１１】
複数の誘電体層と複数の内部電極とが交互に積層された積層体と、当該積層体に形成された複数の端子電極と、を備えた積層コンデンサであって、
交互に配置される第１の数の第１の内部電極と第２の数の第２の内部電極とを前記複数の内部電極として含むコンデンサ部を有しており、
前記第１の数の第１の内部電極は、スルーホール導体を介して互いに電気的に接続され、
前記第２の数の第２の内部電極は、スルーホール導体を介して互いに電気的に接続され、
前記第１の数の第１の内部電極のうち１つ以上前記第１の数よりも１つ少ない数以下の第１の内部電極は、前記複数の端子電極のうち少なくとも１つの端子電極にそれぞれ引き出し導体を介して電気的に接続され、
前記第２の数の第２の内部電極のうち１つ以上前記第２の数よりも１つ少ない数以下の第２の内部電極は、前記第１の内部電極に前記引き出し導体を介して電気的に接続された前記端子電極以外の残りの端子電極のうち少なくとも１つの端子電極にそれぞれ引き出し導体を介して電気的に接続され、
前記引き出し導体を介して前記端子電極に電気的に接続される前記第１の内部電極及び前記第２の内部電極の少なくとも一方の内部電極の前記積層体の積層方向での位置を調整することにより、等価直列抵抗が所望の値に設定されていることを特徴とする積層コンデンサ。
【請求項１２】
前記複数の第１の内部電極同士を電気的に接続する前記スルーホール導体の数と前記複数の第２の内部電極同士を電気的に接続する前記スルーホール導体の数とをそれぞれ更に調整することにより、等価直列抵抗が所望の値に設定されていることを特徴とする請求項８〜１１のいずれか一項に記載の積層コンデンサ。
【請求項１３】
前記複数の第１の内部電極同士は、並列接続されており、
前記複数の第２の内部電極同士は、並列接続されていることを特徴とする請求項８〜１２のいずれか一項に記載の積層コンデンサ。
【請求項１４】
複数の誘電体層と複数の内部電極とが交互に積層された積層体と、当該積層体に形成された複数の端子電極と、を備えた積層コンデンサの等価直列抵抗調整方法であって、
前記複数の内部電極は、交互に配置される複数の第１の内部電極と複数の第２の内部電極とを含み、
前記複数の端子電極は、少なくとも３つの端子電極を含んでおり、
前記複数の第１の内部電極を、スルーホール導体を介して互いに電気的に接続し、
前記複数の第２の内部電極を、スルーホール導体を介して互いに電気的に接続し、
前記複数の第１の内部電極のうち少なくとも２つの第１の内部電極を、前記少なくとも３つの端子電極のうちの２つ以上当該端子電極の総数よりも少なくとも１つ少ない数以下のそれぞれ異なる端子電極に引き出し導体を介して電気的に接続し、
前記複数の第２の内部電極のうち少なくとも１つの第２の内部電極を、前記第１の内部電極に前記引き出し導体を介して電気的に接続された前記端子電極以外の残りの端子電極に引き出し導体を介して電気的に接続し、
前記引き出し導体を介して前記端子電極に電気的に接続される前記第１の内部電極及び前記第２の内部電極の少なくとも一方の内部電極の数を調整することにより、等価直列抵抗を所望の値に設定することを特徴とする積層コンデンサの等価直列抵抗調整方法。
【請求項１５】
複数の誘電体層と複数の内部電極とが交互に積層された積層体と、当該積層体に形成された複数の端子電極と、を備えた積層コンデンサの等価直列抵抗調整方法であって、
前記複数の内部電極は、交互に配置される複数の第１の内部電極と複数の第２の内部電極とを含み、
前記複数の端子電極は、少なくとも３つの端子電極を含んでおり、
前記複数の第１の内部電極を、スルーホール導体を介して互いに電気的に接続し、
前記複数の第２の内部電極を、スルーホール導体を介して互いに電気的に接続し、
前記複数の第１の内部電極のうち少なくとも２つの第１の内部電極を、前記少なくとも３つの端子電極のうちの２つ以上当該端子電極の総数よりも少なくとも１つ少ない数以下のそれぞれ異なる端子電極に引き出し導体を介して電気的に接続し、
前記複数の第２の内部電極のうち少なくとも１つの第２の内部電極を、前記第１の内部電極に前記引き出し導体を介して電気的に接続された前記端子電極以外の残りの端子電極に引き出し導体を介して電気的に接続し、
前記引き出し導体を介して前記端子電極に電気的に接続される前記第１の内部電極及び前記第２の内部電極の少なくとも一方の内部電極の前記積層体の積層方向での位置を調整することにより、等価直列抵抗を所望の値に設定することを特徴とする積層コンデンサの等価直列抵抗調整方法。
【請求項１６】
複数の誘電体層と複数の内部電極とが交互に積層された積層体と、当該積層体に形成された複数の端子電極と、を備えた積層コンデンサの等価直列抵抗調整方法であって、
前記複数の内部電極は、交互に配置される複数の第１の内部電極と複数の第２の内部電極とを含み、
前記複数の端子電極は、少なくとも３つの端子電極を含んでおり、
前記複数の第１の内部電極を、スルーホール導体を介して互いに電気的に接続し、
前記複数の第２の内部電極を、スルーホール導体を介して互いに電気的に接続し、
前記複数の第１の内部電極のうち少なくとも１つの第１の内部電極を、前記少なくとも３つの端子電極のうちの２つ以上当該端子電極の総数よりも少なくとも１つ少ない数以下の端子電極にそれぞれ引き出し導体を介して電気的に接続し、
前記複数の第２の内部電極のうち少なくとも１つの第２の内部電極を、前記第１の内部電極に前記引き出し導体を介して電気的に接続された前記端子電極以外の残りの端子電極に引き出し導体を介して電気的に接続し、
前記引き出し導体を介して前記端子電極に電気的に接続される前記第１の内部電極及び第２の内部電極の少なくとも一方の内部電極の数を調整することにより、等価直列抵抗を所望の値に設定することを特徴とする積層コンデンサの等価直列抵抗調整方法。
【請求項１７】
複数の誘電体層と複数の内部電極とが交互に積層された積層体と、当該積層体に形成された複数の端子電極と、を備えた積層コンデンサの等価直列抵抗調整方法であって、
前記複数の内部電極は、交互に配置される複数の第１の内部電極と複数の第２の内部電極とを含み、
前記複数の端子電極は、少なくとも３つの端子電極を含んでおり、
前記複数の第１の内部電極を、スルーホール導体を介して互いに電気的に接続し、
前記複数の第２の内部電極を、スルーホール導体を介して互いに電気的に接続し、
前記複数の第１の内部電極のうち少なくとも１つの第１の内部電極を、前記少なくとも３つの端子電極のうちの２つ以上当該端子電極の総数よりも少なくとも１つ少ない数以下の端子電極にそれぞれ引き出し導体を介して電気的に接続し、
前記複数の第２の内部電極のうち少なくとも１つの第２の内部電極を、前記第１の内部電極に前記引き出し導体を介して電気的に接続された前記端子電極以外の残りの端子電極に引き出し導体を介して電気的に接続し、
前記引き出し導体を介して前記端子電極に電気的に接続される前記第１の内部電極及び第２の内部電極の少なくとも一方の内部電極の前記積層体の積層方向での位置を調整することにより、等価直列抵抗を所望の値に設定することを特徴とする積層コンデンサの等価直列抵抗調整方法。
【請求項１８】
複数の誘電体層と複数の内部電極とが交互に積層された積層体と、当該積層体に形成された複数の端子電極と、を備えた積層コンデンサの等価直列抵抗調整方法であって、
交互に配置される第１の数の第１の内部電極と第２の数の第２の内部電極とを前記複数の内部電極として含むコンデンサ部を有しており、
前記第１の数の第１の内部電極を、スルーホール導体を介して互いに電気的に接続し、
前記第２の数の第２の内部電極を、スルーホール導体を介して互いに電気的に接続し、
前記第１の数の第１の内部電極のうち１つ以上前記第１の数よりも１つ少ない数以下の第１の内部電極を、前記複数の端子電極のうちそれぞれ異なる端子電極に引き出し導体を介して電気的に接続し、
前記第２の数の第２の内部電極のうち１つ以上前記第２の数よりも１つ少ない数以下の第２の内部電極を、前記第１の内部電極に前記引き出し導体を介して電気的に接続された前記端子電極以外の残りの端子電極のうちそれぞれ異なる端子電極に引き出し導体を介して電気的に接続し、
前記引き出し導体を介して前記端子電極に電気的に接続される前記第１の内部電極及び前記第２の内部電極の少なくとも一方の内部電極の数を調整することにより、等価直列抵抗を所望の値に設定することを特徴とする積層コンデンサの等価直列抵抗調整方法。
【請求項１９】
複数の誘電体層と複数の内部電極とが交互に積層された積層体と、当該積層体に形成された複数の端子電極と、を備えた積層コンデンサの等価直列抵抗調整方法であって、
交互に配置される第１の数の第１の内部電極と第２の数の第２の内部電極とを前記複数の内部電極として含むコンデンサ部を有しており、
前記第１の数の第１の内部電極を、スルーホール導体を介して互いに電気的に接続し、
前記第２の数の第２の内部電極を、スルーホール導体を介して互いに電気的に接続し、
前記第１の数の第１の内部電極のうち１つ以上前記第１の数よりも１つ少ない数以下の第１の内部電極を、前記複数の端子電極のうちそれぞれ異なる端子電極に引き出し導体を介して電気的に接続し、
前記第２の数の第２の内部電極のうち１つ以上前記第２の数よりも１つ少ない数以下の第２の内部電極を、前記第１の内部電極に前記引き出し導体を介して電気的に接続された前記端子電極以外の残りの端子電極のうちそれぞれ異なる端子電極に引き出し導体を介して電気的に接続し、
前記引き出し導体を介して前記端子電極に電気的に接続される前記第１の内部電極及び前記第２の内部電極の少なくとも一方の内部電極の前記積層体の積層方向での位置を調整することにより、等価直列抵抗を所望の値に設定することを特徴とする積層コンデンサの等価直列抵抗調整方法。
【請求項２０】
複数の誘電体層と複数の内部電極とが交互に積層された積層体と、当該積層体に形成された複数の端子電極と、を備えた積層コンデンサの等価直列抵抗調整方法であって、
交互に配置される第１の数の第１の内部電極と第２の数の第２の内部電極とを前記複数の内部電極として含むコンデンサ部を有しており、
前記第１の数の第１の内部電極を、スルーホール導体を介して互いに電気的に接続し、
前記第２の数の第２の内部電極を、スルーホール導体を介して互いに電気的に接続し、
前記第１の数の第１の内部電極のうち１つ以上前記第１の数よりも１つ少ない数以下の第１の内部電極を、前記複数の端子電極のうち少なくとも１つの端子電極にそれぞれ引き出し導体を介して電気的に接続し、
前記第２の数の第２の内部電極のうち１つ以上前記第２の数よりも１つ少ない数以下の第２の内部電極を、前記第１の内部電極に前記引き出し導体を介して電気的に接続された前記端子電極以外の残りの端子電極のうち少なくとも１つの端子電極にそれぞれ引き出し導体を介して電気的に接続し、
前記引き出し導体を介して前記端子電極に電気的に接続される前記第１の内部電極及び第２の内部電極の少なくとも一方の内部電極の数を調整することにより、等価直列抵抗を所望の値に設定することを特徴とする積層コンデンサの等価直列抵抗調整方法。
【請求項２１】
複数の誘電体層と複数の内部電極とが交互に積層された積層体と、当該積層体に形成された複数の端子電極と、を備えた積層コンデンサの等価直列抵抗調整方法であって、
交互に配置される第１の数の第１の内部電極と第２の数の第２の内部電極とを前記複数の内部電極として含むコンデンサ部を有しており、
前記第１の数の第１の内部電極を、スルーホール導体を介して互いに電気的に接続し、
前記第２の数の第２の内部電極を、スルーホール導体を介して互いに電気的に接続し、
前記第１の数の第１の内部電極のうち１つ以上前記第１の数よりも１つ少ない数以下の第１の内部電極を、前記複数の端子電極のうち少なくとも１つの端子電極にそれぞれ引き出し導体を介して電気的に接続し、
前記第２の数の第２の内部電極のうち１つ以上前記第２の数よりも１つ少ない数以下の第２の内部電極を、前記第１の内部電極に前記引き出し導体を介して電気的に接続された前記端子電極以外の残りの端子電極のうち少なくとも１つの端子電極にそれぞれ引き出し導体を介して電気的に接続し、
前記引き出し導体を介して前記端子電極に電気的に接続される前記第１の内部電極及び前記第２の内部電極の少なくとも一方の内部電極の前記積層体の積層方向での位置を調整することにより、等価直列抵抗を所望の値に設定することを特徴とする積層コンデンサの等価直列抵抗調整方法。
【発明の詳細な説明】
【技術分野】
【０００１】
本発明は、積層コンデンサ、及び、積層コンデンサの等価直列抵抗調整方法に関する。
【背景技術】
【０００２】
この種の積層コンデンサとして、複数の誘電体層と複数の内部電極とが交互に積層された積層体と、当該積層体に形成された複数の端子電極とを備えたものが知られている（例えば、特許文献１及び２参照）。
【０００３】
デジタル電子機器に搭載されている中央処理装置（ＣＰＵ）に供給用の電源においては低電圧化が進む一方で負荷電流は増大している。従って、負荷電流の急激な変化に対して電源電圧の変動を許容値内に抑えることが非常に困難になったため、特許文献１にも記載されているように、デカップリングコンデンサと呼ばれる積層コンデンサが電源に接続されるようになった。そして、負荷電流の過渡的な変動時にこの積層コンデンサからＣＰＵに電流を供給して、電源電圧の変動を抑えるようにしている。
【０００４】
近年、ＣＰＵの動作周波数の更なる高周波数化に伴って、負荷電流は高速でより大きなものとなっており、デカップリングコンデンサに用いられる積層コンデンサには、大容量化と共に等価直列抵抗（ＥＳＲ）を大きくしたいという要求がある。特許文献２に記載された積層コンデンサでは、端子電極を内部抵抗層を含む多層構造とすることにより、ＥＳＲを大きくしている。
【特許文献１】特開２００１−１８５４４１号公報
【特許文献２】特開２００４−４７９８３号公報
【発明の開示】
【発明が解決しようとする課題】
【０００５】
しかしながら、特許文献１に記載された積層コンデンサでは、等価直列抵抗を所望の値に制御するに際して、以下のような問題点が存在する。すなわち、特許文献２に記載された積層コンデンサでは、等価直列抵抗を所望の値に制御するためには、端子電極に含まれる内部抵抗層の厚みや当該内部抵抗層の材料組成を調整しなければならず、等価直列抵抗の制御が極めて困難となる。
【０００６】
本発明は、等価直列抵抗の制御を容易に且つ精度良く行うことが可能な積層コンデンサ、及び、積層コンデンサの等価直列抵抗調整方法を提供することを課題とする。
【課題を解決するための手段】
【０００７】
ところで、一般的な積層コンデンサにあっては、すべての内部電極は引き出し導体を介して対応する端子電極に接続されている。このため、引き出し導体が内部電極の数だけ存在することとなり、等価直列抵抗が小さくなってしまう。積層コンデンサの大容量化を図るために誘電体層及び内部電極の積層数を多くすると、引き出し導体の数も多くなる。引き出し導体の抵抗成分は端子電極に対して並列接続されることとなるため、引き出し導体の数が多くなるに従い、積層コンデンサの等価直列抵抗がさらに小さくなってしまう。このように、積層コンデンサの大容量化と、等価直列抵抗を大きくするということとは、相反する要求である。
【０００８】
そこで、本発明者等は、大容量化と等価直列抵抗を大きくしたいとの要求を満たし得る積層コンデンサについて鋭意研究を行った。その結果、本発明者等は、誘電体層及び内部電極の積層数を同じとしても、内部電極をスルーホール導体で接続し且つ引き出し導体の数を変えることができれば、等価直列抵抗を所望の値に調節することが可能となるという新たな事実を見出すに至った。また、本発明者等は、内部電極をスルーホール導体で接続し且つ積層体の積層方向での引き出し導体の位置を変えることができれば、等価直列抵抗を所望の値に調節することが可能となるという新たな事実を見出すに至った。特に、引き出し導体の数を内部電極の数よりも少なくすれば、等価直列抵抗を大きくする方向での調整が可能となる。
【０００９】
かかる研究結果を踏まえ、本発明に係る積層コンデンサは、複数の誘電体層と複数の内部電極とが交互に積層された積層体と、当該積層体に形成された複数の端子電極と、を備えた積層コンデンサであって、複数の内部電極は、交互に配置される複数の第１の内部電極と複数の第２の内部電極とを含み、複数の端子電極は、少なくとも３つの端子電極を含み、複数の第１の内部電極は、スルーホール導体を介して互いに電気的に接続され、複数の第２の内部電極は、スルーホール導体を介して互いに電気的に接続され、複数の第１の内部電極のうち少なくとも２つの第１の内部電極は、少なくとも３つの端子電極のうちの２つ以上当該端子電極の総数よりも少なくとも１つ少ない数以下のそれぞれ異なる端子電極に引き出し導体を介して電気的に接続され、複数の第２の内部電極のうち少なくとも１つの第２の内部電極は、第１の内部電極に引き出し導体を介して電気的に接続された端子電極以外の残りの端子電極に引き出し導体を介して電気的に接続され、引き出し導体を介して端子電極に電気的に接続される第１の内部電極及び第２の内部電極の少なくとも一方の内部電極の数を調整することにより、等価直列抵抗が所望の値に設定されていることを特徴とする。
【００１０】
一方、本発明に係る積層コンデンサの等価直列抵抗調整方法は、複数の誘電体層と複数の内部電極とが交互に積層された積層体と、当該積層体に形成された複数の端子電極と、を備えた積層コンデンサの等価直列抵抗調整方法であって、複数の内部電極は、交互に配置される複数の第１の内部電極と複数の第２の内部電極とを含み、複数の端子電極は、少なくとも３つの端子電極を含んでおり、複数の第１の内部電極を、スルーホール導体を介して互いに電気的に接続し、複数の第２の内部電極を、スルーホール導体を介して互いに電気的に接続し、複数の第１の内部電極のうち少なくとも２つの第１の内部電極を、少なくとも３つの端子電極のうちの２つ以上当該端子電極の総数よりも少なくとも１つ少ない数以下のそれぞれ異なる端子電極に引き出し導体を介して電気的に接続し、複数の第２の内部電極のうち少なくとも１つの第２の内部電極を、第１の内部電極に引き出し導体を介して電気的に接続された端子電極以外の残りの端子電極に引き出し導体を介して電気的に接続し、引き出し導体を介して端子電極に電気的に接続される第１の内部電極及び第２の内部電極の少なくとも一方の内部電極の数を調整することにより、等価直列抵抗を所望の値に設定することを特徴とする。
【００１１】
これら、本発明に係る積層コンデンサ及び積層コンデンサの等価直列抵抗調整方法それぞれによれば、引き出し導体を介して端子電極に電気的に接続される第１の内部電極及び第２の内部電極の少なくとも一方の内部電極の数を調整することにより、等価直列抵抗が所望の値に設定されるので、等価直列抵抗の制御を容易に且つ精度良く行うことができる。
【００１２】
本発明に係る積層コンデンサは、複数の誘電体層と複数の内部電極とが交互に積層された積層体と、当該積層体に形成された複数の端子電極と、を備えた積層コンデンサであって、複数の内部電極は、交互に配置される複数の第１の内部電極と複数の第２の内部電極とを含み、複数の端子電極は、少なくとも３つの端子電極を含み、複数の第１の内部電極は、スルーホール導体を介して互いに電気的に接続され、複数の第２の内部電極は、スルーホール導体を介して互いに電気的に接続され、複数の第１の内部電極のうち少なくとも２つの第１の内部電極は、少なくとも３つの端子電極のうちの２つ以上当該端子電極の総数よりも少なくとも１つ少ない数以下のそれぞれ異なる端子電極に引き出し導体を介して電気的に接続され、複数の第２の内部電極のうち少なくとも１つの第２の内部電極は、第１の内部電極に引き出し導体を介して電気的に接続された端子電極以外の残りの端子電極に引き出し導体を介して電気的に接続され、引き出し導体を介して端子電極に電気的に接続される第１の内部電極及び第２の内部電極の少なくとも一方の内部電極の積層体の積層方向での位置を調整することにより、等価直列抵抗が所望の値に設定されていることを特徴とする。
【００１３】
一方、本発明に係る積層コンデンサの等価直列抵抗調整方法は、複数の誘電体層と複数の内部電極とが交互に積層された積層体と、当該積層体に形成された複数の端子電極と、を備えた積層コンデンサの等価直列抵抗調整方法であって、複数の内部電極は、交互に配置される複数の第１の内部電極と複数の第２の内部電極とを含み、複数の端子電極は、少なくとも３つの端子電極を含んでおり、複数の第１の内部電極を、スルーホール導体を介して互いに電気的に接続し、複数の第２の内部電極を、スルーホール導体を介して互いに電気的に接続し、複数の第１の内部電極のうち少なくとも２つの第１の内部電極を、少なくとも３つの端子電極のうちの２つ以上当該端子電極の総数よりも少なくとも１つ少ない数以下のそれぞれ異なる端子電極に引き出し導体を介して電気的に接続し、複数の第２の内部電極のうち少なくとも１つの第２の内部電極を、第１の内部電極に引き出し導体を介して電気的に接続された端子電極以外の残りの端子電極に引き出し導体を介して電気的に接続し、引き出し導体を介して端子電極に電気的に接続される第１の内部電極及び第２の内部電極の少なくとも一方の内部電極の積層体の積層方向での位置を調整することにより、等価直列抵抗を所望の値に設定することを特徴とする。
【００１４】
これら、本発明に係る積層コンデンサ及び積層コンデンサの等価直列抵抗調整方法それぞれによれば、引き出し導体を介して端子電極に電気的に接続される第１の内部電極及び第２の内部電極の少なくとも一方の内部電極の積層体の積層方向での位置を調整することにより、等価直列抵抗が所望の値に設定されるので、等価直列抵抗の制御を容易に且つ精度良く行うことができる。
【００１５】
本発明に係る積層コンデンサは、複数の誘電体層と複数の内部電極とが交互に積層された積層体と、当該積層体に形成された複数の端子電極と、を備えた積層コンデンサであって、複数の内部電極は、交互に配置される複数の第１の内部電極と複数の第２の内部電極とを含み、複数の端子電極は、少なくとも３つの端子電極を含み、複数の第１の内部電極は、スルーホール導体を介して互いに電気的に接続され、複数の第２の内部電極は、スルーホール導体を介して互いに電気的に接続され、複数の第１の内部電極のうち少なくとも１つの第１の内部電極は、少なくとも３つの端子電極のうちの２つ以上当該端子電極の総数よりも少なくとも１つ少ない数以下の端子電極にそれぞれ引き出し導体を介して電気的に接続され、複数の第２の内部電極のうち少なくとも１つの第２の内部電極は、第１の内部電極に引き出し導体を介して電気的に接続された端子電極以外の残りの端子電極に引き出し導体を介して電気的に接続され、引き出し導体を介して端子電極に電気的に接続される第１の内部電極及び第２の内部電極の少なくとも一方の内部電極の数を調整することにより、等価直列抵抗が所望の値に設定されていることを特徴とする。
【００１６】
一方、本発明に係る積層コンデンサの等価直列抵抗調整方法は、複数の誘電体層と複数の内部電極とが交互に積層された積層体と、当該積層体に形成された複数の端子電極と、を備えた積層コンデンサの等価直列抵抗調整方法であって、複数の内部電極は、交互に配置される複数の第１の内部電極と複数の第２の内部電極とを含み、複数の端子電極は、少なくとも３つの端子電極を含んでおり、複数の第１の内部電極を、スルーホール導体を介して互いに電気的に接続し、複数の第２の内部電極を、スルーホール導体を介して互いに電気的に接続し、複数の第１の内部電極のうち少なくとも１つの第１の内部電極を、少なくとも３つの端子電極のうちの２つ以上当該端子電極の総数よりも少なくとも１つ少ない数以下の端子電極にそれぞれ引き出し導体を介して電気的に接続し、複数の第２の内部電極のうち少なくとも１つの第２の内部電極を、第１の内部電極に引き出し導体を介して電気的に接続された端子電極以外の残りの端子電極に引き出し導体を介して電気的に接続し、引き出し導体を介して端子電極に電気的に接続される第１の内部電極及び第２の内部電極の少なくとも一方の内部電極の数を調整することにより、等価直列抵抗を所望の値に設定することを特徴とする。
【００１７】
これら、本発明に係る積層コンデンサ及び積層コンデンサの等価直列抵抗調整方法それぞれによれば、引き出し導体を介して端子電極に電気的に接続される第１の内部電極及び第２の内部電極の少なくとも一方の内部電極の数を調整することにより、等価直列抵抗が所望の値に設定されるので、等価直列抵抗の制御を容易に且つ精度良く行うことができる。
【００１８】
本発明に係る積層コンデンサは、複数の誘電体層と複数の内部電極とが交互に積層された積層体と、当該積層体に形成された複数の端子電極と、を備えた積層コンデンサであって、複数の内部電極は、交互に配置される複数の第１の内部電極と複数の第２の内部電極とを含み、複数の端子電極は、少なくとも３つの端子電極を含み、複数の第１の内部電極は、スルーホール導体を介して互いに電気的に接続され、複数の第２の内部電極は、スルーホール導体を介して互いに電気的に接続され、複数の第１の内部電極のうち少なくとも１つの第１の内部電極は、少なくとも３つの端子電極のうちの２つ以上当該端子電極の総数よりも少なくとも１つ少ない数以下の端子電極にそれぞれ引き出し導体を介して電気的に接続され、複数の第２の内部電極のうち少なくとも１つの第２の内部電極は、第１の内部電極に引き出し導体を介して電気的に接続された端子電極以外の残りの端子電極に引き出し導体を介して電気的に接続され、引き出し導体を介して端子電極に電気的に接続される第１の内部電極及び第２の内部電極の少なくとも一方の内部電極の積層体の積層方向での位置を調整することにより、等価直列抵抗が所望の値に設定されていることを特徴とする。
【００１９】
一方、本発明に係る積層コンデンサの等価直列抵抗調整方法は、複数の誘電体層と複数の内部電極とが交互に積層された積層体と、当該積層体に形成された複数の端子電極と、を備えた積層コンデンサの等価直列抵抗調整方法であって、複数の内部電極は、交互に配置される複数の第１の内部電極と複数の第２の内部電極とを含み、複数の端子電極は、少なくとも３つの端子電極を含んでおり、複数の第１の内部電極を、スルーホール導体を介して互いに電気的に接続し、複数の第２の内部電極を、スルーホール導体を介して互いに電気的に接続し、複数の第１の内部電極のうち少なくとも１つの第１の内部電極を、少なくとも３つの端子電極のうちの２つ以上当該端子電極の総数よりも少なくとも１つ少ない数以下の端子電極にそれぞれ引き出し導体を介して電気的に接続し、複数の第２の内部電極のうち少なくとも１つの第２の内部電極を、第１の内部電極に引き出し導体を介して電気的に接続された端子電極以外の残りの端子電極に引き出し導体を介して電気的に接続し、引き出し導体を介して端子電極に電気的に接続される第１の内部電極及び第２の内部電極の少なくとも一方の内部電極の積層体の積層方向での位置を調整することにより、等価直列抵抗を所望の値に設定することを特徴とする。
【００２０】
これら、本発明に係る積層コンデンサ及び積層コンデンサの等価直列抵抗調整方法それぞれによれば、引き出し導体を介して端子電極に電気的に接続される第１の内部電極及び第２の内部電極の少なくとも一方の内部電極の積層体の積層方向での位置を調整することにより、等価直列抵抗が所望の値に設定されるので、等価直列抵抗の制御を容易に且つ精度良く行うことができる。
【００２１】
また、複数の端子電極は、２つ以上の第１の端子電極と２つ以上の第２の端子電極とを含んでおり、複数の第１の内部電極は、引き出し導体及びスルーホール導体を通して２つ以上の第１の端子電極に電気的に接続され、複数の第２の内部電極は、引き出し導体及びスルーホール導体を通して２つ以上の第２の端子電極に電気的に接続されていることが好ましい。
【００２２】
また、複数の第１の内部電極同士を電気的に接続するスルーホール導体の数と複数の第２の内部電極同士を電気的に接続するスルーホール導体の数とをそれぞれ更に調整することにより、等価直列抵抗が所望の値に設定されていることが好ましい。この場合、等価直列抵抗の制御をより一層精度良く行うことができる。
【００２３】
また、複数の第１の内部電極同士は、並列接続されており、複数の第２の内部電極同士は、並列接続されていることが好ましい。この場合、各第１の内部電極や各第２の内部電極の抵抗値にバラツキが生じても、積層コンデンサ全体での等価直列抵抗への影響が少なく、等価直列抵抗の制御の精度低下を抑制することができる。
【００２４】
本発明に係る積層コンデンサは、複数の誘電体層と複数の内部電極とが交互に積層された積層体と、当該積層体に形成された複数の端子電極と、を備えた積層コンデンサであって、交互に配置される第１の数の第１の内部電極と第２の数の第２の内部電極とを複数の内部電極として含むコンデンサ部を有しており、第１の数の第１の内部電極は、スルーホール導体を介して互いに電気的に接続され、第２の数の第２の内部電極は、スルーホール導体を介して互いに電気的に接続され、第１の数の第１の内部電極のうち１つ以上第１の数よりも１つ少ない数以下の第１の内部電極は、複数の端子電極のうちそれぞれ異なる端子電極に引き出し導体を介して電気的に接続され、第２の数の第２の内部電極のうち１つ以上第２の数よりも１つ少ない数以下の第２の内部電極は、第１の内部電極に引き出し導体を介して電気的に接続された端子電極以外の残りの端子電極のうちそれぞれ異なる端子電極に引き出し導体を介して電気的に接続され、引き出し導体を介して端子電極に電気的に接続される第１の内部電極及び第２の内部電極の少なくとも一方の内部電極の数を調整することにより、等価直列抵抗が所望の値に設定されていることを特徴とする。
【００２５】
一方、本発明に係る積層コンデンサの等価直列抵抗調整方法は、複数の誘電体層と複数の内部電極とが交互に積層された積層体と、当該積層体に形成された複数の端子電極と、を備えた積層コンデンサの等価直列抵抗調整方法であって、交互に配置される第１の数の第１の内部電極と第２の数の第２の内部電極とを複数の内部電極として含むコンデンサ部を有しており、第１の数の第１の内部電極を、スルーホール導体を介して互いに電気的に接続し、第２の数の第２の内部電極を、スルーホール導体を介して互いに電気的に接続し、第１の数の第１の内部電極のうち１つ以上第１の数よりも１つ少ない数以下の第１の内部電極を、複数の端子電極のうちそれぞれ異なる端子電極に引き出し導体を介して電気的に接続し、第２の数の第２の内部電極のうち１つ以上第２の数よりも１つ少ない数以下の第２の内部電極を、第１の内部電極に引き出し導体を介して電気的に接続された端子電極以外の残りの端子電極のうちそれぞれ異なる端子電極に引き出し導体を介して電気的に接続し、引き出し導体を介して端子電極に電気的に接続される第１の内部電極及び第２の内部電極の少なくとも一方の内部電極の数を調整することにより、等価直列抵抗を所望の値に設定することを特徴とする。
【００２６】
これら、本発明に係る積層コンデンサ及び積層コンデンサの等価直列抵抗調整方法それぞれによれば、引き出し導体を介して端子電極に電気的に接続される第１の内部電極及び第２の内部電極の少なくとも一方の内部電極の数を調整することにより、等価直列抵抗が所望の値に設定されるので、等価直列抵抗の制御を容易に且つ精度良く行うことができる。
【００２７】
本発明に係る積層コンデンサは、複数の誘電体層と複数の内部電極とが交互に積層された積層体と、当該積層体に形成された複数の端子電極と、を備えた積層コンデンサであって、交互に配置される第１の数の第１の内部電極と第２の数の第２の内部電極とを複数の内部電極として含むコンデンサ部を有しており、第１の数の第１の内部電極は、スルーホール導体を介して互いに電気的に接続され、第２の数の第２の内部電極は、スルーホール導体を介して互いに電気的に接続され、第１の数の第１の内部電極のうち１つ以上第１の数よりも１つ少ない数以下の第１の内部電極は、複数の端子電極のうちそれぞれ異なる端子電極に引き出し導体を介して電気的に接続され、第２の数の第２の内部電極のうち１つ以上第２の数よりも１つ少ない数以下の第２の内部電極は、第１の内部電極に引き出し導体を介して電気的に接続された端子電極以外の残りの端子電極のうちそれぞれ異なる端子電極に引き出し導体を介して電気的に接続され、引き出し導体を介して端子電極に電気的に接続される第１の内部電極及び第２の内部電極の少なくとも一方の内部電極の積層体の積層方向での位置を調整することにより、等価直列抵抗が所望の値に設定されていることを特徴とする。
【００２８】
一方、本発明に係る積層コンデンサの等価直列抵抗調整方法は、複数の誘電体層と複数の内部電極とが交互に積層された積層体と、当該積層体に形成された複数の端子電極と、を備えた積層コンデンサの等価直列抵抗調整方法であって、交互に配置される第１の数の第１の内部電極と第２の数の第２の内部電極とを複数の内部電極として含むコンデンサ部を有しており、第１の数の第１の内部電極を、スルーホール導体を介して互いに電気的に接続し、第２の数の第２の内部電極を、スルーホール導体を介して互いに電気的に接続し、第１の数の第１の内部電極のうち１つ以上第１の数よりも１つ少ない数以下の第１の内部電極を、複数の端子電極のうちそれぞれ異なる端子電極に引き出し導体を介して電気的に接続し、第２の数の第２の内部電極のうち１つ以上第２の数よりも１つ少ない数以下の第２の内部電極を、第１の内部電極に引き出し導体を介して電気的に接続された端子電極以外の残りの端子電極のうちそれぞれ異なる端子電極に引き出し導体を介して電気的に接続し、引き出し導体を介して端子電極に電気的に接続される第１の内部電極及び第２の内部電極の少なくとも一方の内部電極の積層体の積層方向での位置を調整することにより、等価直列抵抗を所望の値に設定することを特徴とする。
【００２９】
これら、本発明に係る積層コンデンサ及び積層コンデンサの等価直列抵抗調整方法それぞれによれば、引き出し導体を介して端子電極に電気的に接続される第１の内部電極及び第２の内部電極の少なくとも一方の内部電極の積層体の積層方向での位置を調整することにより、等価直列抵抗が所望の値に設定されるので、等価直列抵抗の制御を容易に且つ精度良く行うことができる。
【００３０】
本発明に係る積層コンデンサは、複数の誘電体層と複数の内部電極とが交互に積層された積層体と、当該積層体に形成された複数の端子電極と、を備えた積層コンデンサであって、交互に配置される第１の数の第１の内部電極と第２の数の第２の内部電極とを複数の内部電極として含むコンデンサ部を有しており、第１の数の第１の内部電極は、スルーホール導体を介して互いに電気的に接続され、第２の数の第２の内部電極は、スルーホール導体を介して互いに電気的に接続され、第１の数の第１の内部電極のうち１つ以上第１の数よりも１つ少ない数以下の第１の内部電極は、複数の端子電極のうち少なくとも１つの端子電極にそれぞれ引き出し導体を介して電気的に接続され、第２の数の第２の内部電極のうち１つ以上第２の数よりも１つ少ない数以下の第２の内部電極は、第１の内部電極に引き出し導体を介して電気的に接続された端子電極以外の残りの端子電極のうち少なくとも１つの端子電極にそれぞれ引き出し導体を介して電気的に接続され、引き出し導体を介して端子電極に電気的に接続される第１の内部電極及び第２の内部電極の少なくとも一方の内部電極の数を調整することにより、等価直列抵抗が所望の値に設定されていることを特徴とする。
【００３１】
一方、本発明に係る積層コンデンサの等価直列抵抗調整方法は、複数の誘電体層と複数の内部電極とが交互に積層された積層体と、当該積層体に形成された複数の端子電極と、を備えた積層コンデンサの等価直列抵抗調整方法であって、交互に配置される第１の数の第１の内部電極と第２の数の第２の内部電極とを複数の内部電極として含むコンデンサ部を有しており、第１の数の第１の内部電極を、スルーホール導体を介して互いに電気的に接続し、第２の数の第２の内部電極を、スルーホール導体を介して互いに電気的に接続し、第１の数の第１の内部電極のうち１つ以上第１の数よりも１つ少ない数以下の第１の内部電極を、複数の端子電極のうち少なくとも１つの端子電極にそれぞれ引き出し導体を介して電気的に接続し、第２の数の第２の内部電極のうち１つ以上第２の数よりも１つ少ない数以下の第２の内部電極を、第１の内部電極に引き出し導体を介して電気的に接続された端子電極以外の残りの端子電極のうち少なくとも１つの端子電極にそれぞれ引き出し導体を介して電気的に接続し、引き出し導体を介して端子電極に電気的に接続される第１の内部電極及び第２の内部電極の少なくとも一方の内部電極の数を調整することにより、等価直列抵抗を所望の値に設定することを特徴とする。
【００３２】
これら、本発明に係る積層コンデンサ及び積層コンデンサの等価直列抵抗調整方法それぞれによれば、引き出し導体を介して端子電極に電気的に接続される第１の内部電極及び第２の内部電極の少なくとも一方の内部電極の数を調整することにより、等価直列抵抗が所望の値に設定されるので、等価直列抵抗の制御を容易に且つ精度良く行うことができる。
【００３３】
本発明に係る積層コンデンサは、複数の誘電体層と複数の内部電極とが交互に積層された積層体と、当該積層体に形成された複数の端子電極と、を備えた積層コンデンサであって、交互に配置される第１の数の第１の内部電極と第２の数の第２の内部電極とを複数の内部電極として含むコンデンサ部を有しており、第１の数の第１の内部電極は、スルーホール導体を介して互いに電気的に接続され、第２の数の第２の内部電極は、スルーホール導体を介して互いに電気的に接続され、第１の数の第１の内部電極のうち１つ以上第１の数よりも１つ少ない数以下の第１の内部電極は、複数の端子電極のうち少なくとも１つの端子電極にそれぞれ引き出し導体を介して電気的に接続され、第２の数の第２の内部電極のうち１つ以上第２の数よりも１つ少ない数以下の第２の内部電極は、第１の内部電極に引き出し導体を介して電気的に接続された端子電極以外の残りの端子電極のうち少なくとも１つの端子電極にそれぞれ引き出し導体を介して電気的に接続され、引き出し導体を介して端子電極に電気的に接続される第１の内部電極及び第２の内部電極の少なくとも一方の内部電極の積層体の積層方向での位置を調整することにより、等価直列抵抗が所望の値に設定されていることを特徴とする。
【００３４】
一方、本発明に係る積層コンデンサの等価直列抵抗調整方法は、複数の誘電体層と複数の内部電極とが交互に積層された積層体と、当該積層体に形成された複数の端子電極と、を備えた積層コンデンサの等価直列抵抗調整方法であって、交互に配置される第１の数の第１の内部電極と第２の数の第２の内部電極とを複数の内部電極として含むコンデンサ部を有しており、第１の数の第１の内部電極を、スルーホール導体を介して互いに電気的に接続し、第２の数の第２の内部電極を、スルーホール導体を介して互いに電気的に接続し、第１の数の第１の内部電極のうち１つ以上第１の数よりも１つ少ない数以下の第１の内部電極を、複数の端子電極のうち少なくとも１つの端子電極にそれぞれ引き出し導体を介して電気的に接続し、第２の数の第２の内部電極のうち１つ以上第２の数よりも１つ少ない数以下の第２の内部電極を、第１の内部電極に引き出し導体を介して電気的に接続された端子電極以外の残りの端子電極のうち少なくとも１つの端子電極にそれぞれ引き出し導体を介して電気的に接続し、引き出し導体を介して端子電極に電気的に接続される第１の内部電極及び第２の内部電極の少なくとも一方の内部電極の積層体の積層方向での位置を調整することにより、等価直列抵抗を所望の値に設定することを特徴とする。
【００３５】
これら、本発明に係る積層コンデンサ及び積層コンデンサの等価直列抵抗調整方法それぞれによれば、引き出し導体を介して端子電極に電気的に接続される第１の内部電極及び第２の内部電極の少なくとも一方の内部電極の積層体の積層方向での位置を調整することにより、等価直列抵抗が所望の値に設定されるので、等価直列抵抗の制御を容易に且つ精度良く行うことができる。
【００３６】
また、複数の第１の内部電極同士を電気的に接続するスルーホール導体の数と複数の第２の内部電極同士を電気的に接続するスルーホール導体の数とをそれぞれ更に調整することにより、等価直列抵抗が所望の値に設定されていることが好ましい。この場合、等価直列抵抗の制御をより一層精度良く行うことができる。
【００３７】
また、複数の第１の内部電極同士は、並列接続されており、複数の第２の内部電極同士は、並列接続されていることが好ましい。この場合、各第１の内部電極や各第２の内部電極の抵抗値にバラツキが生じても、積層コンデンサ全体での等価直列抵抗への影響が少なく、等価直列抵抗の制御の精度低下を抑制することができる。
【発明の効果】
【００３８】
本発明によれば、等価直列抵抗の制御を容易に且つ精度良く行うことが可能な積層コンデンサ、及び、積層コンデンサの等価直列抵抗調整方法を提供することができる。
【発明を実施するための最良の形態】
【００３９】
以下、添付図面を参照して、本発明の好適な実施形態について詳細に説明する。なお、説明において、同一要素又は同一機能を有する要素には、同一符号を用いることとし、重複する説明は省略する。また、説明中、「上」及び「下」なる語を使用することがあるが、これは各図の上下方向に対応したものである。本実施形態に係る積層コンデンサは、本発明に係る積層コンデンサの等価直列抵抗調整方法を含んで記載されている。
【００４０】
（第１実施形態）
図１及び図２を参照して、第１実施形態に係る積層コンデンサＣ１の構成について説明する。図１は、第１実施形態に係る積層コンデンサを示す斜視図である。図２は、第１実施形態に係る積層コンデンサに含まれる積層体の分解斜視図である。
【００４１】
積層コンデンサＣ１は、図１に示されるように、積層体１と、当該積層体１に形成された複数（本実施形態では、４つ）の第１の端子電極３ａ〜３ｄと、同じく積層体１に形成された複数（本実施形態では、４つ）の第２の端子電極５ａ〜５ｄとを備える。
【００４２】
各第１の端子電極３ａ，３ｂと各第２の端子電極５ａ，５ｂとは、積層体１の側面１ａ側に位置している。各第１の端子電極３ｃ，３ｄと各第２の端子電極５ｃ，５ｄとは、積層体１の側面１ｂ側に位置している。第１の端子電極３ａ〜３ｄと第２の端子電極５ａ〜５ｄとは、互いに電気的に絶縁されている。
【００４３】
積層体１は、図２にも示されるように、複数（本実施形態では、２５層）の誘電体層１１〜３５と、複数（本実施形態では、各１２層）の第１及び第１の内部電極５１〜６２，７１〜８２とが交互に積層されることにより構成される。実際の積層コンデンサＣ１では、誘電体層１１〜３５の間の境界が視認できない程度に一体化されている。
【００４４】
各第１の内部電極５１〜６２は、矩形形状を呈している。第１の内部電極５１〜６２は、積層体１における誘電体層１１〜３５の積層方向（以下、単に「積層方向」と称する。）に平行な側面から所定の間隔を有した位置にそれぞれ形成されている。各第１の内部電極５１〜６２には、誘電体層１１，１３，１５，１７，１９，２１，２３，２５，２７，２９，３１，３３が露出するように、開口５１ａ〜６２ａが形成されている。各誘電体層１１，１３，１５，１７，１９，２１，２３，２５，２７，２９，３１，３３上には、第１の内部電極５１〜６２に形成された開口５１ａ〜６２ａに対応する領域に、ランド状の内部導体９１〜１０２が位置している。
【００４５】
各第２の内部電極７１〜８２は、矩形形状を呈している。第２の内部電極７１〜８２は、積層体１における積層方向に平行な側面から所定の間隔を有した位置にそれぞれ形成されている。各第２の内部電極７１〜８２には、誘電体層１２，１４，１６，１８，２０，２２２６，２６，２８，３０，３２，３４が露出するように、開口７１ａ〜８２ａが形成されている。各誘電体層１２，１４，１６，１８，２０，２２２６，２６，２８，３０，３２，３４上には、第２の内部電極７１〜８２に形成された開口７１ａ〜８２ａに対応する領域に、ランド状の内部導体１１１〜１２２が位置している。
【００４６】
誘電体層１１における内部導体１１１と内部導体９１とに対応する位置には、誘電体層１１を厚み方向に貫通するスルーホール導体１３１ａ，１３１ｂがそれぞれ形成されている。スルーホール導体１３１ａは、第１の内部電極５１に電気的に接続されている。スルーホール導体１３１ｂは、内部導体９１に電気的に接続されている。スルーホール導体１３１ａは、誘電体層１１，１２が積層された状態で、内部導体１１１と電気的に接続される。スルーホール導体１３１ｂは、誘電体層１１，１２が積層された状態で、第２の内部電極７１と電気的に接続される。
【００４７】
誘電体層１２における内部導体１１１と内部導体９２とに対応する位置には、誘電体層１２を厚み方向に貫通するスルーホール導体１３２ａ，１３２ｂがそれぞれ形成されている。スルーホール導体１３２ａは、内部導体１１１に電気的に接続されている。スルーホール導体１３２ｂは、第２の内部電極７１に電気的に接続されている。スルーホール導体１３２ａは、誘電体層１２，１３が積層された状態で、第１の内部電極５２と電気的に接続される。スルーホール導体１３２ｂは、誘電体層１２，１３が積層された状態で、内部導体９２と電気的に接続される。
【００４８】
誘電体層１３における内部導体１１２と内部導体９２とに対応する位置には、誘電体層１３を厚み方向に貫通するスルーホール導体１３３ａ，１３３ｂがそれぞれ形成されている。スルーホール導体１３３ａは、第１の内部電極５２に電気的に接続されている。スルーホール導体１３３ｂは、内部導体９２に電気的に接続されている。スルーホール導体１３３ａは、誘電体層１３，１４が積層された状態で、内部導体１１２と電気的に接続される。スルーホール導体１３３ｂは、誘電体層１３，１４が積層された状態で、第２の内部電極７２と電気的に接続される。
【００４９】
誘電体層１４における内部導体１１２と内部導体９３とに対応する位置には、誘電体層１４を厚み方向に貫通するスルーホール導体１３４ａ，１３４ｂがそれぞれ形成されている。スルーホール導体１３４ａは、内部導体１１２に電気的に接続されている。スルーホール導体１３４ｂは、第２の内部電極７２に電気的に接続されている。スルーホール導体１３４ａは、誘電体層１４，１５が積層された状態で、第１の内部電極５３と電気的に接続される。スルーホール導体１３４ｂは、誘電体層１４，１５が積層された状態で、内部導体９３と電気的に接続される。
【００５０】
誘電体層１５における内部導体１１３と内部導体９３とに対応する位置には、誘電体層１５を厚み方向に貫通するスルーホール導体１３５ａ，１３５ｂがそれぞれ形成されている。スルーホール導体１３５ａは、第１の内部電極５３に電気的に接続されている。スルーホール導体１３５ｂは、内部導体９３に電気的に接続されている。スルーホール導体１３５ａは、誘電体層１５，１６が積層された状態で、内部導体１１３と電気的に接続される。スルーホール導体１３５ｂは、誘電体層１５，１６が積層された状態で、第２の内部電極７３と電気的に接続される。
【００５１】
誘電体層１６における内部導体１１３と内部導体９４とに対応する位置には、誘電体層１６を厚み方向に貫通するスルーホール導体１３６ａ，１３６ｂがそれぞれ形成されている。スルーホール導体１３６ａは、内部導体１１３に電気的に接続されている。スルーホール導体１３６ｂは、第２の内部電極７３に電気的に接続されている。スルーホール導体１３６ａは、誘電体層１６，１７が積層された状態で、第１の内部電極５４と電気的に接続される。スルーホール導体１３６ｂは、誘電体層１６，１７が積層された状態で、内部導体９４と電気的に接続される。
【００５２】
誘電体層１７における内部導体１１４と内部導体９４とに対応する位置には、誘電体層１７を厚み方向に貫通するスルーホール導体１３７ａ，１３７ｂがそれぞれ形成されている。スルーホール導体１３７ａは、第１の内部電極５４に電気的に接続されている。スルーホール導体１３７ｂは、内部導体９４に電気的に接続されている。スルーホール導体１３７ａは、誘電体層１７，１８が積層された状態で、内部導体１１４と電気的に接続される。スルーホール導体１３７ｂは、誘電体層１７，１８が積層された状態で、第２の内部電極７４と電気的に接続される。
【００５３】
誘電体層１８における内部導体１１４と内部導体９５とに対応する位置には、誘電体層１８を厚み方向に貫通するスルーホール導体１３８ａ，１３８ｂがそれぞれ形成されている。スルーホール導体１３８ａは、内部導体１１４に電気的に接続されている。スルーホール導体１３８ｂは、第２の内部電極７４に電気的に接続されている。スルーホール導体１３８ａは、誘電体層１８，１９が積層された状態で、第１の内部電極５５と電気的に接続される。スルーホール導体１３８ｂは、誘電体層１８，１９が積層された状態で、内部導体９５と電気的に接続される。
【００５４】
誘電体層１９における内部導体１１５と内部導体９５とに対応する位置には、誘電体層１９を厚み方向に貫通するスルーホール導体１３９ａ，１３９ｂがそれぞれ形成されている。スルーホール導体１３９ａは、第１の内部電極５５に電気的に接続されている。スルーホール導体１３９ｂは、内部導体９５に電気的に接続されている。スルーホール導体１３９ａは、誘電体層１９，２０が積層された状態で、内部導体１１５と電気的に接続される。スルーホール導体１３９ｂは、誘電体層１９，２０が積層された状態で、第２の内部電極７５と電気的に接続される。
【００５５】
誘電体層２０における内部導体１１５と内部導体９６とに対応する位置には、誘電体層２０を厚み方向に貫通するスルーホール導体１４０ａ，１４０ｂがそれぞれ形成されている。スルーホール導体１４０ａは、内部導体１１５に電気的に接続されている。スルーホール導体１４０ｂは、第２の内部電極７５に電気的に接続されている。スルーホール導体１４０ａは、誘電体層２０，２１が積層された状態で、第１の内部電極５６と電気的に接続される。スルーホール導体１４０ｂは、誘電体層２０，２１が積層された状態で、内部導体９６と電気的に接続される。
【００５６】
誘電体層２１における内部導体１１６と内部導体９６とに対応する位置には、誘電体層２１を厚み方向に貫通するスルーホール導体１４１ａ，１４１ｂがそれぞれ形成されている。スルーホール導体１４１ａは、第１の内部電極５６に電気的に接続されている。スルーホール導体１４１ｂは、内部導体９６に電気的に接続されている。スルーホール導体１４１ａは、誘電体層２１，２２が積層された状態で、内部導体１１６と電気的に接続される。スルーホール導体１４１ｂは、誘電体層２１，２２が積層された状態で、第２の内部電極７６と電気的に接続される。
【００５７】
誘電体層２２における内部導体１１６と内部導体９７とに対応する位置には、誘電体層２２を厚み方向に貫通するスルーホール導体１４２ａ，１４２ｂがそれぞれ形成されている。スルーホール導体１４２ａは、内部導体１１６に電気的に接続されている。スルーホール導体１４２ｂは、第２の内部電極７６に電気的に接続されている。スルーホール導体１４２ａは、誘電体層２２，２３が積層された状態で、第１の内部電極５７と電気的に接続される。スルーホール導体１４２ｂは、誘電体層２２，２３が積層された状態で、内部導体９７と電気的に接続される。
【００５８】
誘電体層２３における内部導体１１７と内部導体９７とに対応する位置には、誘電体層２３を厚み方向に貫通するスルーホール導体１４３ａ，１４３ｂがそれぞれ形成されている。スルーホール導体１４３ａは、第１の内部電極５７に電気的に接続されている。スルーホール導体１４３ｂは、内部導体９７に電気的に接続されている。スルーホール導体１４３ａは、誘電体層２３，２４が積層された状態で、内部導体１１７と電気的に接続される。スルーホール導体１４３ｂは、誘電体層２３，２４が積層された状態で、第２の内部電極７７と電気的に接続される。
【００５９】
誘電体層２４における内部導体１１７と内部導体９８とに対応する位置には、誘電体層２４を厚み方向に貫通するスルーホール導体１４４ａ，１４４ｂがそれぞれ形成されている。スルーホール導体１４４ａは、内部導体１１７に電気的に接続されている。スルーホール導体１４４ｂは、第２の内部電極７７に電気的に接続されている。スルーホール導体１４４ａは、誘電体層２４，２５が積層された状態で、第１の内部電極５８と電気的に接続される。スルーホール導体１４４ｂは、誘電体層２４，２５が積層された状態で、内部導体９８と電気的に接続される。
【００６０】
誘電体層２５における内部導体１１８と内部導体９８とに対応する位置には、誘電体層２５を厚み方向に貫通するスルーホール導体１４５ａ，１４５ｂがそれぞれ形成されている。スルーホール導体１４５ａは、第１の内部電極５８に電気的に接続されている。スルーホール導体１４５ｂは、内部導体９８に電気的に接続されている。スルーホール導体１４５ａは、誘電体層２５，２６が積層された状態で、内部導体１１８と電気的に接続される。スルーホール導体１４５ｂは、誘電体層２５，２６が積層された状態で、第２の内部電極７８と電気的に接続される。
【００６１】
誘電体層２６における内部導体１１８と内部導体９９とに対応する位置には、誘電体層２６を厚み方向に貫通するスルーホール導体１４６ａ，１４６ｂがそれぞれ形成されている。スルーホール導体１４６ａは、内部導体１１８に電気的に接続されている。スルーホール導体１４６ｂは、第２の内部電極７８に電気的に接続されている。スルーホール導体１４６ａは、誘電体層２６，２７が積層された状態で、第１の内部電極５９と電気的に接続される。スルーホール導体１４６ｂは、誘電体層２６，２７が積層された状態で、内部導体９９と電気的に接続される。
【００６２】
誘電体層２７における内部導体１１９と内部導体９９とに対応する位置には、誘電体層２７を厚み方向に貫通するスルーホール導体１４７ａ，１４７ｂがそれぞれ形成されている。スルーホール導体１４７ａは、第１の内部電極５９に電気的に接続されている。スルーホール導体１４７ｂは、内部導体９９に電気的に接続されている。スルーホール導体１４７ａは、誘電体層２７，２８が積層された状態で、内部導体１１９と電気的に接続される。スルーホール導体１４７ｂは、誘電体層２７，２８が積層された状態で、第２の内部電極７９と電気的に接続される。
【００６３】
誘電体層２８における内部導体１１９と内部導体１００とに対応する位置には、誘電体層２８を厚み方向に貫通するスルーホール導体１４８ａ，１４８ｂがそれぞれ形成されている。スルーホール導体１４８ａは、内部導体１１８に電気的に接続されている。スルーホール導体１４８ｂは、第２の内部電極７９に電気的に接続されている。スルーホール導体１４８ａは、誘電体層２８，２９が積層された状態で、第１の内部電極６０と電気的に接続される。スルーホール導体１４８ｂは、誘電体層２８，２９が積層された状態で、内部導体１００と電気的に接続される。
【００６４】
誘電体層２９における内部導体１２０と内部導体１００とに対応する位置には、誘電体層２９を厚み方向に貫通するスルーホール導体１４９ａ，１４９ｂがそれぞれ形成されている。スルーホール導体１４９ａは、第１の内部電極６０に電気的に接続されている。スルーホール導体１４９ｂは、内部導体１００に電気的に接続されている。スルーホール導体１４９ａは、誘電体層２９，３０が積層された状態で、内部導体１２０と電気的に接続される。スルーホール導体１４９ｂは、誘電体層２９，３０が積層された状態で、第２の内部電極８０と電気的に接続される。
【００６５】
誘電体層３０における内部導体１２０と内部導体１０１とに対応する位置には、誘電体層３０を厚み方向に貫通するスルーホール導体１５０ａ，１５０ｂがそれぞれ形成されている。スルーホール導体１５０ａは、内部導体１１９に電気的に接続されている。スルーホール導体１５０ｂは、第２の内部電極８０に電気的に接続されている。スルーホール導体１５０ａは、誘電体層３０，３１が積層された状態で、第１の内部電極６１と電気的に接続される。スルーホール導体１５０ｂは、誘電体層３０，３１が積層された状態で、内部導体１０１と電気的に接続される。
【００６６】
誘電体層３１における内部導体１２１と内部導体１０１とに対応する位置には、誘電体層３１を厚み方向に貫通するスルーホール導体１５１ａ，１５１ｂがそれぞれ形成されている。スルーホール導体１５１ａは、第１の内部電極６１に電気的に接続されている。スルーホール導体１５１ｂは、内部導体１０１に電気的に接続されている。スルーホール導体１５１ａは、誘電体層３１，３２が積層された状態で、内部導体１２１と電気的に接続される。スルーホール導体１５１ｂは、誘電体層３１，３２が積層された状態で、第２の内部電極８１と電気的に接続される。
【００６７】
誘電体層３２における内部導体１２１と内部導体１０２とに対応する位置には、誘電体層３２を厚み方向に貫通するスルーホール導体１５２ａ，１５２ｂがそれぞれ形成されている。スルーホール導体１５２ａは、内部導体１２０に電気的に接続されている。スルーホール導体１５２ｂは、第２の内部電極８１に電気的に接続されている。スルーホール導体１５２ａは、誘電体層３２，３３が積層された状態で、第１の内部電極６２と電気的に接続される。スルーホール導体１５２ｂは、誘電体層３２，３３が積層された状態で、内部導体１０２と電気的に接続される。
【００６８】
誘電体層３３における内部導体１２２と内部導体１０２とに対応する位置には、誘電体層３３を厚み方向に貫通するスルーホール導体１５３ａ，１５３ｂがそれぞれ形成されている。スルーホール導体１５３ａは、第１の内部電極６２に電気的に接続されている。スルーホール導体１５３ｂは、内部導体１０２に電気的に接続されている。スルーホール導体１５３ａは、誘電体層３３，３４が積層された状態で、内部導体１２２と電気的に接続される。スルーホール導体１５３ｂは、誘電体層３３，３４が積層された状態で、第２の内部電極８２と電気的に接続される。
【００６９】
スルーホール導体１３１ａ〜１５３ａは、誘電体層１１〜３３が積層されることにより、積層方向に略直線状に併設され、相互に電気的に接続されることにより通電経路を構成する。第１の内部電極５１〜６２は、スルーホール導体１３１ａ〜１５３ａ及び内部導体１１１〜１２２を介して互いに電気的に接続されている。
【００７０】
第１の内部電極５１は、引き出し導体１７１を介して第１の端子電極３ａに電気的に接続されている。第１の内部電極５２は、引き出し導体１７２を介して第１の端子電極３ｂに電気的に接続されている。第１の内部電極５３は、引き出し導体１７３を介して第１の端子電極３ｃに電気的に接続されている。第１の内部電極５４は、引き出し導体１７４を介して第１の端子電極３ｄに電気的に接続されている。これにより、第１の内部電極５５〜６２も第１の端子電極３ａ〜３ｄに電気的に接続されることとなり、第１の内部電極５１〜６２は並列接続されることとなる。
【００７１】
各引き出し導体１７１，１７２は、対応する第１の内部電極５１，５２と一体に形成されており、積層体１の側面１ａに臨むように、各第１の内部電極５１，５２から伸びている。各引き出し導体１７３，１７４は、対応する第１の内部電極５３，５４と一体に形成されており、積層体１の側面１ｂに臨むように、各第１の内部電極５３，５４から伸びている。
【００７２】
スルーホール導体１３１ｂ〜１５３ｂも、スルーホール導体１３１ａ〜１５３ａと同様に、誘電体層１１〜３３が積層されることにより、積層方向に略直線状に併設され、相互に電気的に接続されることにより通電経路を構成する。第２の内部電極７１〜８２は、スルーホール導体１３１ｂ〜１５３ｂ及び内部導体９１〜１０２を介して互いに電気的に接続されている。
【００７３】
第２の内部電極７１は、引き出し導体１８１を介して第２の端子電極５ａに電気的に接続されている。第２の内部電極７２は、引き出し導体１８２を介して第２の端子電極５ｂに電気的に接続されている。第２の内部電極７３は、引き出し導体１８３を介して第２の端子電極５ｃに電気的に接続されている。第２の内部電極７４は、引き出し導体１８４を介して第２の端子電極５ｄに電気的に接続されている。これにより、第２の内部電極７５〜８２も、第２の端子電極５ａ〜５ｄに電気的に接続されることとなり、第２の内部電極７１〜８２は並列接続されることとなる。
【００７４】
各引き出し導体１８１，１８２は、対応する第２の内部電極７１，７２と一体に形成されており、積層体１の側面１ａに臨むように、各第２の内部電極７１，７２から伸びている。各引き出し導体１８３，１８４は、対応する第２の内部電極７３，７４と一体に形成されており、積層体１の側面１ｂに臨むように、各第２の内部電極７３，７４から伸びている。
【００７５】
積層コンデンサＣ１では、引き出し導体１７１〜１７４を介して第１の端子電極３ａ〜３ｄに直接接続される第１の内部電極５１〜５４の数を４つとし、第１の内部電極５１〜６２の総数（本実施形態では、１２）よりも少なくされている。また、引き出し導体１８１〜１８４を介して第２の端子電極５ａ〜５ｄに直接接続される第２の内部電極７１〜７４の数を４つとし、第２の内部電極７１〜８２の総数（本実施形態では、１２）よりも少なくされている。
【００７６】
第１の端子電極３ａに着目すると、スルーホール導体１３１ａ〜１５３ａの合成抵抗成分は、第１の端子電極３ａに対して直列接続されることとなる。
【００７７】
第１の端子電極３ｂに着目すると、スルーホール導体１３１ａ〜１５３ａの抵抗成分は、第１の内部電極５２を境にして、当該第１の内部電極５２よりも積層方向の一方側に位置するスルーホール導体１３１ａ，１３２ａの合成抵抗成分と、第１の内部電極５２よりも積層方向の他方側に位置するスルーホール導体１３３ａ〜１５３ａの合成抵抗成分とに分けられる。スルーホール導体１３１ａ，１３２ａの合成抵抗成分と、スルーホール導体１３３ａ〜１５３ａの合成抵抗成分とは、第１の端子電極３ｂに対して並列接続されることとなる。
【００７８】
第１の端子電極３ｃに着目すると、スルーホール導体１３１ａ〜１５３ａの抵抗成分は、第１の内部電極５３を境にして、当該第１の内部電極５３よりも積層方向の一方側に位置するスルーホール導体１３１ａ〜１３４ａの合成抵抗成分と、第１の内部電極５３よりも積層方向の他方側に位置するスルーホール導体１３５ａ〜１５３ａの合成抵抗成分とに分けられる。スルーホール導体１３１ａ〜１３４ａの合成抵抗成分と、スルーホール導体１３５ａ〜１５３ａの合成抵抗成分とは、第１の端子電極３ｃに対して並列接続されることとなる。
【００７９】
第１の端子電極３ｄに着目すると、スルーホール導体１３１ａ〜１５３ａの合成抵抗成分は、第１の内部電極５４を境にして、当該第１の内部電極５４よりも積層方向の一方側に位置するスルーホール導体１３１ａ〜１３６ａの合成抵抗成分と、第１の内部電極５４よりも積層方向の他方側に位置するスルーホール導体１３７ａ〜１５３ａの合成抵抗成分とに分けられる。スルーホール導体１３１ａ〜１３６ａの合成抵抗成分と、スルーホール導体１３７ａ〜１５３ａの合成抵抗成分とは、第１の端子電極３ｄに対して並列接続されることとなる。
【００８０】
一方、第２の端子電極５ａに着目すると、スルーホール導体１３１ｂ〜１５３ｂの抵抗成分は、第２の内部電極７１を境にして、当該第２の内部電極７１よりも積層方向の一方側に位置するスルーホール導体１３１ｂの抵抗成分と、第２の内部電極７１よりも積層方向の他方側に位置するスルーホール導体１３２ｂ〜１５３ｂの合成抵抗成分とに分けられる。スルーホール導体１３１ｂの抵抗成分と、スルーホール導体１３２ｂ〜１５３ｂの合成抵抗成分とは、第２の端子電極５ａに対して並列接続されることとなる。
【００８１】
第２の端子電極５ｂに着目すると、スルーホール導体１３１ｂ〜１５３ｂの抵抗成分は、第２の内部電極７２を境にして、当該第２の内部電極７１よりも積層方向の一方側に位置するスルーホール導体１３１ｂ〜１３３ｂの合成抵抗成分と、第２の内部電極７２よりも積層方向の他方側に位置するスルーホール導体１３４ｂ〜１５３ｂの合成抵抗成分とに分けられる。スルーホール導体１３１ｂ〜１３３ｂの合成抵抗成分と、スルーホール導体１３２ｂ〜１５３ｂの合成抵抗成分とは、第２の端子電極５ｂに対して並列接続されることとなる。
【００８２】
第２の端子電極５ｃに着目すると、スルーホール導体１３１ｂ〜１５３ｂの抵抗成分は、第２の内部電極７３を境にして、当該第２の内部電極７３よりも積層方向の一方側に位置するスルーホール導体１３１ｂ〜１３５ｂの合成抵抗成分と、第２の内部電極７３よりも積層方向の他方側に位置するスルーホール導体１３６ｂ〜１５３ｂの合成抵抗成分とに分けられる。スルーホール導体１３１ｂ〜１３５ｂの合成抵抗成分と、スルーホール導体１３６ｂ〜１５３ｂの合成抵抗成分とは、第２の端子電極５ｃに対して並列接続されることとなる。
【００８３】
第２の端子電極５ｄに着目すると、スルーホール導体１３１ｂ〜１５３ｂの抵抗成分は、第２の内部電極７４を境にして、当該第２の内部電極７４よりも積層方向の一方側に位置するスルーホール導体１３１ｂ〜１３７ｂの合成抵抗成分と、第２の内部電極７４よりも積層方向の他方側に位置するスルーホール導体１３８ｂ〜１５３ｂの合成抵抗成分とに分けられる。スルーホール導体１３１ｂ〜１３７ｂの合成抵抗成分と、スルーホール導体１３８ｂ〜１５３ｂの合成抵抗成分とは、第２の端子電極５ｄに対して並列接続されることとなる。
【００８４】
これらにより、積層コンデンサＣ１は、すべての内部電極が対応する端子電極に引き出し導体を介して接続されている従来の積層コンデンサに比して、等価直列抵抗が大きくなる。
【００８５】
以上のように、本実施形態によれば、引き出し導体１７１〜１７４を介して第１の端子電極３ａ〜３ｄに電気的に接続される第１の内部電極５１〜５４の数と引き出し導体１８１〜１８４を介して第２の端子電極５ａ〜５ｄに電気的に接続される第２の内部電極７１〜７４の数とをそれぞれ調整することにより、積層コンデンサＣ１の等価直列抵抗が所望の値に設定されるので、等価直列抵抗の制御を容易に且つ精度良く行うことができる。
【００８６】
また、本実施形態において、第１の内部電極５１〜６２同士は、並列接続されており、第２の内部電極７１〜８２同士は、並列接続されている。これにより、各第１の内部電極５１〜６２や各第２の内部電極７１〜８２の抵抗値にバラツキが生じても、積層コンデンサＣ１全体での等価直列抵抗への影響が少なく、等価直列抵抗の制御の精度低下を抑制することができる。
【００８７】
（第２実施形態）
図３を参照して、第２実施形態に係る積層コンデンサの構成について説明する。第２実施形態に係る積層コンデンサは、引き出し導体１７１〜１７４を介して第１の端子電極３ａ〜３ｄに電気的に接続される第１の内部電極の積層方向で位置と、引き出し導体１８１〜１８４を介して第２の端子電極５ａ〜５ｄに電気的に接続される第２の内部電極の積層方向で位置との点で第１実施形態に係る積層コンデンサＣ１と相違する。図３は、第２実施形態に係る積層コンデンサに含まれる積層体の分解斜視図である。
【００８８】
第２実施形態に係る積層コンデンサは、図示は省略するが、第１実施形態に係る積層コンデンサＣ１と同じく、積層体１と、当該積層体１に形成された第１の端子電極３ａ〜３ｄと、同じく積層体１に形成された第２の端子電極５ａ〜５ｄとを備えている。
【００８９】
第２実施形態に係る積層コンデンサでは、図３に示されるように、第１の内部電極６１が、引き出し導体１７３を介して第１の端子電極３ｃに電気的に接続されている。第１の内部電極６２が、引き出し導体１７４を介して第１の端子電極３ｄに電気的に接続されている。これにより、第１の内部電極５３〜６０も、第１の端子電極３ａ〜３ｄに電気的に接続されることとなり、第１の内部電極５１〜６２は並列接続されることとなる。各引き出し導体１７３，１７４は、対応する第１の内部電極６１，６２と一体に形成されており、積層体１の側面１ｂに臨むように、各第１の内部電極６１，６２から伸びている。
【００９０】
第２の内部電極８１は、引き出し導体１８３を介して第２の端子電極５ｃに電気的に接続されている。第２の内部電極８２は、引き出し導体１８４を介して第２の端子電極５ｄに電気的に接続されている。これにより、第２の内部電極７３〜８０も、第２の端子電極５ａ〜５ｄに電気的に接続されることとなり、第２の内部電極７１〜８２は並列接続されることとなる。各引き出し導体１８３，１８４は、対応する第２の内部電極８１，８２と一体に形成されており、積層体１の側面１ｂに臨むように、各第２の内部電極８１，８２から伸びている。
【００９１】
第２実施形態に係る積層コンデンサでは、引き出し導体１７１〜１７４を介して第１の端子電極３ａ〜３ｄに直接接続される第１の内部電極５１，５２，６１，６２の数を４つとし、第１の内部電極５１〜６２の総数（本実施形態では、１２）よりも少なくされている。また、引き出し導体１８１〜１８４を介して第２の端子電極５ａ〜５ｄに直接接続される第２の内部電極７１，７２，８１，８２の数を４つとし、第２の内部電極７１〜８２の総数（本実施形態では、１２）よりも少なくされている。これらにより、第２実施形態に係る積層コンデンサは、すべての内部電極が対応する端子電極に引き出し導体を介して接続されている従来の積層コンデンサに比して、等価直列抵抗が大きくなる。
【００９２】
ところで、第１の端子電極３ａに着目すると、スルーホール導体１３１ａ〜１５３ａの合成抵抗成分は、第１の端子電極３ａに対して直列接続されることとなる。
【００９３】
第１の端子電極３ｂに着目すると、スルーホール導体１３１ａ〜１５３ａの抵抗成分は、第１の内部電極５２を境にして、当該第１の内部電極５２よりも積層方向の一方側に位置するスルーホール導体１３１ａ，１３２ａの合成抵抗成分と、第１の内部電極５２よりも積層方向の他方側に位置するスルーホール導体１３３ａ〜１５３ａの合成抵抗成分とに分けられる。スルーホール導体１３１ａ，１３２ａの抵抗成分と、スルーホール導体１３３ａ〜１５３ａの合成抵抗成分とは、第１の端子電極３ｂに対して並列接続されることとなる。
【００９４】
第１の端子電極３ｃに着目すると、スルーホール導体１３１ａ〜１５３ａの抵抗成分は、第１の内部電極６１を境にして、当該第１の内部電極６１よりも積層方向の一方側に位置するスルーホール導体１３１ａ〜１５０ａの合成抵抗成分と、第１の内部電極６１よりも積層方向の他方側に位置するスルーホール導体１５１ａ〜１５３ａの合成抵抗成分とに分けられる。スルーホール導体１３１ａ〜１５０ａの合成抵抗成分と、スルーホール導体１５１ａ〜１５３ａの合成抵抗成分とは、第１の端子電極３ｃに対して並列接続されることとなる。
【００９５】
第１の端子電極３ｄに着目すると、スルーホール導体１３１ａ〜１５３ａの合成抵抗成分は、第１の内部電極６２を境にして、当該第１の内部電極６２よりも積層方向の一方側に位置するスルーホール導体１３１ａ〜１５２ａの合成抵抗成分と、第１の内部電極６２よりも積層方向の他方側に位置するスルーホール導体１５３ａの抵抗成分とに分けられる。スルーホール導体１３１ａ〜１５２ａの合成抵抗成分と、スルーホール導体１５３ａの抵抗成分とは、第１の端子電極３ｄに対して並列接続されることとなる。
【００９６】
一方、第２の端子電極５ａに着目すると、スルーホール導体１３１ｂ〜１５３ｂの抵抗成分は、第２の内部電極７１を境にして、当該第２の内部電極７１よりも積層方向の一方側に位置するスルーホール導体１３１ｂの抵抗成分と、第２の内部電極７１よりも積層方向の他方側に位置するスルーホール導体１３２ｂ〜１５３ｂの合成抵抗成分とに分けられる。スルーホール導体１３１ｂの抵抗成分と、スルーホール導体１３２ｂ〜１５３ｂの合成抵抗成分とは、第２の端子電極５ａに対して並列接続されることとなる。
【００９７】
第２の端子電極５ｂに着目すると、スルーホール導体１３１ｂ〜１５３ｂの抵抗成分は、第２の内部電極７２を境にして、当該第２の内部電極７１よりも積層方向の一方側に位置するスルーホール導体１３１ｂ〜１３３ｂの合成抵抗成分と、第２の内部電極７２よりも積層方向の他方側に位置するスルーホール導体１３４ｂ〜１５３ｂの合成抵抗成分とに分けられる。スルーホール導体１３１ｂ〜１３３ｂの合成抵抗成分と、スルーホール導体１３２ｂ〜１５３ｂの合成抵抗成分とは、第２の端子電極５ｂに対して並列接続されることとなる。
【００９８】
第２の端子電極５ｃに着目すると、スルーホール導体１３１ｂ〜１５３ｂの抵抗成分は、第２の内部電極８１を境にして、当該第２の内部電極８１よりも積層方向の一方側に位置するスルーホール導体１３１ｂ〜１５１ｂの合成抵抗成分と、第２の内部電極８１よりも積層方向の他方側に位置するスルーホール導体１５２ｂ，１５３ｂの合成抵抗成分とに分けられる。スルーホール導体１３１ｂ〜１５１ｂの合成抵抗成分と、スルーホール導体１５２ｂ，１５３ｂの合成抵抗成分とは、第２の端子電極５ｃに対して並列接続されることとなる。
【００９９】
第２の端子電極５ｄに着目すると、スルーホール導体１３１ｂ〜１５３ｂの合成抵抗成分は、第２の端子電極５ｄに対して直列接続されることとなる。
【０１００】
上述したスルーホール導体１３１ａ〜１５３ａ，１３１ｂ〜１５３ｂの抵抗成分の差異に起因して、第２実施形態に係る積層コンデンサは、第１実施形態に係る積層コンデンサＣ１に比して、等価直列抵抗が大きくなる。
【０１０１】
以上のように、本実施形態によれば、引き出し導体１７１〜１７４を介して第１の端子電極３ａ〜３ｄに電気的に接続される第１の内部電極５１，５２，６１，６２の積層方向での位置と引き出し導体１８１〜１８４を介して第２の端子電極５ａ〜５ｄに直接接続される第２の内部電極７１，７２，８１，８２の積層方向での位置とをそれぞれ調整することにより、積層コンデンサの等価直列抵抗が所望の値に設定されるので、等価直列抵抗の制御を容易に且つ精度良く行うことができる。
【０１０２】
（第３実施形態）
図４を参照して、第３実施形態に係る積層コンデンサの構成について説明する。第３実施形態に係る積層コンデンサは、引き出し導体１７１〜１７４を介して第１の端子電極３ａ〜３ｄに電気的に接続される第１の内部電極の積層方向で位置と、引き出し導体１８１〜１８４を介して第２の端子電極５ａ〜５ｄに電気的に接続される第２の内部電極の積層方向で位置との点で第１実施形態に係る積層コンデンサＣ１と相違する。図４は、第３実施形態に係る積層コンデンサに含まれる積層体の分解斜視図である。
【０１０３】
第３実施形態に係る積層コンデンサは、図示は省略するが、第１実施形態に係る積層コンデンサＣ１と同じく、積層体１と、当該積層体１に形成された第１の端子電極３ａ〜３ｄと、同じく積層体１に形成された第２の端子電極５ａ〜５ｄとを備えている。
【０１０４】
第３実施形態に係る積層コンデンサでは、図４に示されるように、第１の内部電極５４が、引き出し導体１７２を介して第１の端子電極３ｂに電気的に接続されている。第１の内部電極５７が、引き出し導体１７３を介して第１の端子電極３ｃに電気的に接続されている。第１の内部電極６０が、引き出し導体１７４を介して第１の端子電極３ｄに電気的に接続されている。これにより、第１の内部電極５２，５３，５５，５６，５８，５９，６１，６２も、第１の端子電極３ａ〜３ｄに電気的に接続されることとなり、第１の内部電極５１〜６２は並列接続されることとなる。引き出し導体１７２は、第１の内部電極５４と一体に形成されており、積層体１の側面１ａに臨むように、第１の内部電極５４から伸びている。各引き出し導体１７３，１７４は、対応する第１の内部電極５７，６０と一体に形成されており、積層体１の側面１ｂに臨むように、各第１の内部電極５７，６０から伸びている。
【０１０５】
第２の内部電極７４は、引き出し導体１８２を介して第２の端子電極５ｂに電気的に接続されている。第２の内部電極７７は、引き出し導体１８３を介して第２の端子電極５ｃに電気的に接続されている。第２の内部電極８０は、引き出し導体１８４を介して第２の端子電極５ｄに電気的に接続されている。これにより、第２の内部電極７２，７３，７５，７６，７８，７９，８１，８２も、第２の端子電極５ａ〜５ｄに電気的に接続されることとなり、第２の内部電極７１〜８２は並列接続されることとなる。引き出し導体１８２は、第２の内部電極７４と一体に形成されており、積層体１の側面１ａに臨むように、第２の内部電極７４から伸びている。各引き出し導体１８３，１８４は、対応する第２の内部電極７７，８０と一体に形成されており、積層体１の側面１ｂに臨むように、各第２の内部電極７７，８０から伸びている。
【０１０６】
第３実施形態に係る積層コンデンサでは、引き出し導体１７１〜１７４を介して第１の端子電極３ａ〜３ｄに直接接続される第１の内部電極５１，５４，５７，６０の数を４つとし、第１の内部電極５１〜６２の総数（本実施形態では、１２）よりも少なくされている。また、引き出し導体１８１〜１８４を介して第２の端子電極５ａ〜５ｄに直接接続される第２の内部電極７１，７４，７７，８０の数を４つとし、第２の内部電極７１〜８２の総数（本実施形態では、１２）よりも少なくされている。これらにより、第３実施形態に係る積層コンデンサは、すべての内部電極が対応する端子電極に引き出し導体を介して接続されている従来の積層コンデンサに比して、等価直列抵抗が大きくなる。
【０１０７】
ところで、第１の端子電極３ｂに着目すると、スルーホール導体１３１ａ〜１５３ａの抵抗成分は、第１の内部電極５４を境にして、当該第１の内部電極５４よりも積層方向の一方側に位置するスルーホール導体１３１ａ〜１３６ａの合成抵抗成分と、第１の内部電極５４よりも積層方向の他方側に位置するスルーホール導体１３６ａ〜１５３ａの合成抵抗成分とに分けられる。スルーホール導体１３１ａ〜１３６ａの抵抗成分と、スルーホール導体１３６ａ〜１５３ａの合成抵抗成分とは、第１の端子電極３ｂに対して並列接続されることとなる。
【０１０８】
第１の端子電極３ｃに着目すると、スルーホール導体１３１ａ〜１５３ａの抵抗成分は、第１の内部電極５７を境にして、当該第１の内部電極５７よりも積層方向の一方側に位置するスルーホール導体１３１ａ〜１４２ａの合成抵抗成分と、第１の内部電極５７よりも積層方向の他方側に位置するスルーホール導体１４３ａ〜１５３ａの合成抵抗成分とに分けられる。スルーホール導体１３１ａ〜１４２ａの合成抵抗成分と、スルーホール導体１４３ａ〜１５３ａの合成抵抗成分とは、第１の端子電極３ｃに対して並列接続されることとなる。
【０１０９】
第１の端子電極３ｄに着目すると、スルーホール導体１３１ａ〜１５３ａの合成抵抗成分は、第１の内部電極６０を境にして、当該第１の内部電極６０よりも積層方向の一方側に位置するスルーホール導体１３１ａ〜１４８ａの合成抵抗成分と、第１の内部電極６０よりも積層方向の他方側に位置するスルーホール導体１４９ａ〜１５３ａの合成抵抗成分とに分けられる。スルーホール導体１３１ａ〜１４８ａの合成抵抗成分と、スルーホール導体１４９ａ〜１５３ａの合成抵抗成分とは、第１の端子電極３ｄに対して並列接続されることとなる。
【０１１０】
一方、第２の端子電極５ｂに着目すると、スルーホール導体１３１ｂ〜１５３ｂの抵抗成分は、第２の内部電極７４を境にして、当該第２の内部電極７４よりも積層方向の一方側に位置するスルーホール導体１３１ｂ〜１３７ｂの合成抵抗成分と、第２の内部電極７４よりも積層方向の他方側に位置するスルーホール導体１３８ｂ〜１５３ｂの合成抵抗成分とに分けられる。スルーホール導体１３１ｂ〜１３７ｂの合成抵抗成分と、スルーホール導体１３８ｂ〜１５３ｂの合成抵抗成分とは、第２の端子電極５ｂに対して並列接続されることとなる。
【０１１１】
第２の端子電極５ｃに着目すると、スルーホール導体１３１ｂ〜１５３ｂの抵抗成分は、第２の内部電極７７を境にして、当該第２の内部電極７７よりも積層方向の一方側に位置するスルーホール導体１３１ｂ〜１４３ｂの合成抵抗成分と、第２の内部電極７７よりも積層方向の他方側に位置するスルーホール導体１４４ｂ〜１５３ｂの合成抵抗成分とに分けられる。スルーホール導体１３１ｂ〜１４３ｂの合成抵抗成分と、スルーホール導体１４４ｂ〜１５３ｂの合成抵抗成分とは、第２の端子電極５ｃに対して並列接続されることとなる。
【０１１２】
第２の端子電極５ｄに着目すると、スルーホール導体１３１ｂ〜１５３ｂの抵抗成分は、第２の内部電極８０を境にして、当該第２の内部電極８０よりも積層方向の一方側に位置するスルーホール導体１３１ｂ〜１４９ｂの合成抵抗成分と、第２の内部電極８０よりも積層方向の他方側に位置するスルーホール導体１５０ｂ〜１５３ｂの合成抵抗成分とに分けられる。スルーホール導体１３１ｂ〜１４９ｂの合成抵抗成分と、スルーホール導体１５０ｂ〜１５３ｂの合成抵抗成分とは、第２の端子電極５ｄに対して並列接続されることとなる。
【０１１３】
上述したスルーホール導体１３１ａ〜１５３ａ，１３１ｂ〜１５３ｂの抵抗成分の差異に起因して、第３実施形態に係る積層コンデンサは、第１実施形態に係る積層コンデンサＣ１に比して、等価直列抵抗が小さくなる。
【０１１４】
以上のように、本実施形態によれば、引き出し導体１７１〜１７４を介して第１の端子電極３ａ〜３ｄに電気的に接続される第１の内部電極５１，５４，５７，６０の積層方向での位置と引き出し導体１８１〜１８４を介して第２の端子電極５ａ〜５ｄに直接接続される第２の内部電極７１，７４，７７，８０の積層方向での位置とをそれぞれ調整することにより、積層コンデンサの等価直列抵抗が所望の値に設定されるので、等価直列抵抗の制御を容易に且つ精度良く行うことができる。
【０１１５】
（第４実施形態）
図５を参照して、第４実施形態に係る積層コンデンサの構成について説明する。第４実施形態に係る積層コンデンサは、引き出し導体１８１〜１８４を介して第２の端子電極５ａ〜５ｄに電気的に接続される第２の内部電極の積層方向で位置の点で第３実施形態に係る積層コンデンサと相違する。図５は、第４実施形態に係る積層コンデンサに含まれる積層体の分解斜視図である。
【０１１６】
第４実施形態に係る積層コンデンサは、図示は省略するが、第１実施形態に係る積層コンデンサＣ１と同じく、積層体１と、当該積層体１に形成された第１の端子電極３ａ〜３ｄと、同じく積層体１に形成された第２の端子電極５ａ〜５ｄとを備えている。
【０１１７】
第４実施形態に係る積層コンデンサでは、図５に示されるように、第２の内部電極７２は、引き出し導体１８１を介して第２の端子電極５ａに電気的に接続されている。第２の内部電極７５は、引き出し導体１８２を介して第２の端子電極５ｂに電気的に接続されている。第２の内部電極７８は、引き出し導体１８３を介して第２の端子電極５ｃに電気的に接続されている。第２の内部電極８１は、引き出し導体１８４を介して第２の端子電極５ｄに電気的に接続されている。これにより、第２の内部電極７１，７３，７４，７６，７７，７９，８０，８２も、第２の端子電極５ａ〜５ｄに電気的に接続されることとなり、第２の内部電極７１〜８２は並列接続されることとなる。各引き出し導体１８１，１８２は、対応する第２の内部電極７２，７４と一体に形成されており、積層体１の側面１ａに臨むように、各第２の内部電極７２，７４から伸びている。各引き出し導体１８３，１８４は、対応する第２の内部電極７７，８０と一体に形成されており、積層体１の側面１ｂに臨むように、各第２の内部電極７７，８０から伸びている。
【０１１８】
第３実施形態に係る積層コンデンサでは、引き出し導体１７１〜１７４を介して第１の端子電極３ａ〜３ｄに直接接続される第１の内部電極５１，５４，５７，６０の数を４つとし、第１の内部電極５１〜６２の総数（本実施形態では、１２）よりも少なくされている。また、引き出し導体１８１〜１８４を介して第２の端子電極５ａ〜５ｄに直接接続される第２の内部電極７２，７５，７８，８１の数を４つとし、第２の内部電極７１〜８２の総数（本実施形態では、１２）よりも少なくされている。これらにより、第３実施形態に係る積層コンデンサは、すべての内部電極が対応する端子電極に引き出し導体を介して接続されている従来の積層コンデンサに比して、等価直列抵抗が大きくなる。
【０１１９】
ところで、第２の端子電極５ａに着目すると、スルーホール導体１３１ｂ〜１５３ｂの抵抗成分は、第２の内部電極７２を境にして、当該第２の内部電極７２よりも積層方向の一方側に位置するスルーホール導体１３１ｂ〜１３３ｂの合成抵抗成分と、第２の内部電極７２よりも積層方向の他方側に位置するスルーホール導体１３４ｂ〜１５３ｂの合成抵抗成分とに分けられる。スルーホール導体１３１ｂ〜１３３ｂの合成抵抗成分と、スルーホール導体１３４ｂ〜１５３ｂの合成抵抗成分とは、第２の端子電極５ｂに対して並列接続されることとなる。
【０１２０】
第２の端子電極５ｂに着目すると、スルーホール導体１３１ｂ〜１５３ｂの抵抗成分は、第２の内部電極７５を境にして、当該第２の内部電極７５よりも積層方向の一方側に位置するスルーホール導体１３１ｂ〜１３９ｂの合成抵抗成分と、第２の内部電極７５よりも積層方向の他方側に位置するスルーホール導体１４０ｂ〜１５３ｂの合成抵抗成分とに分けられる。スルーホール導体１３１ｂ〜１３９ｂの合成抵抗成分と、スルーホール導体１４０ｂ〜１５３ｂの合成抵抗成分とは、第２の端子電極５ｂに対して並列接続されることとなる。
【０１２１】
第２の端子電極５ｃに着目すると、スルーホール導体１３１ｂ〜１５３ｂの抵抗成分は、第２の内部電極７８を境にして、当該第２の内部電極７８よりも積層方向の一方側に位置するスルーホール導体１３１ｂ〜１４５ｂの合成抵抗成分と、第２の内部電極７８よりも積層方向の他方側に位置するスルーホール導体１４６ｂ〜１５３ｂの合成抵抗成分とに分けられる。スルーホール導体１３１ｂ〜１４５ｂの合成抵抗成分と、スルーホール導体１４６ｂ〜１５３ｂの合成抵抗成分とは、第２の端子電極５ｃに対して並列接続されることとなる。
【０１２２】
第２の端子電極５ｄに着目すると、スルーホール導体１３１ｂ〜１５３ｂの抵抗成分は、第２の内部電極８１を境にして、当該第２の内部電極８１よりも積層方向の一方側に位置するスルーホール導体１３１ｂ〜１５１ｂの合成抵抗成分と、第２の内部電極８１よりも積層方向の他方側に位置するスルーホール導体１５２ｂ，１５３ｂの合成抵抗成分とに分けられる。スルーホール導体１３１ｂ〜１５１ｂの合成抵抗成分と、スルーホール導体１５２ｂ，１５３ｂの合成抵抗成分とは、第２の端子電極５ｄに対して並列接続されることとなる。
【０１２３】
上述したスルーホール導体１３１ａ〜１５３ａ，１３１ｂ〜１５３ｂの抵抗成分の差異に起因して、第４実施形態に係る積層コンデンサは、第１実施形態に係る積層コンデンサＣ１に比して、等価直列抵抗が小さくなる。
【０１２４】
以上のように、本実施形態によれば、引き出し導体１７１〜１７４を介して第１の端子電極３ａ〜３ｄに電気的に接続される第１の内部電極５１，５４，５７，６０の積層方向での位置と引き出し導体１８１〜１８４を介して第２の端子電極５ａ〜５ｄに直接接続される第２の内部電極７２，７５，７８，８１の積層方向での位置とをそれぞれ調整することにより、積層コンデンサの等価直列抵抗が所望の値に設定されるので、等価直列抵抗の制御を容易に且つ精度良く行うことができる。
【０１２５】
（第５実施形態）
図６を参照して、第５実施形態に係る積層コンデンサの構成について説明する。第５実施形態に係る積層コンデンサは、引き出し導体１７１〜１７４を介して第１の端子電極３ａ〜３ｄに電気的に接続される第１の内部電極の数と、引き出し導体１８１〜１８４を介して第２の端子電極５ａ〜５ｄに電気的に接続される第２の内部電極の数との点で第１実施形態に係る積層コンデンサＣ１と相違する。図６は、第５実施形態に係る積層コンデンサに含まれる積層体の分解斜視図である。
【０１２６】
第５実施形態に係る積層コンデンサは、図示は省略するが、第１実施形態に係る積層コンデンサＣ１と同じく、積層体１と、当該積層体１に形成された第１の端子電極３ａ〜３ｄと、同じく積層体１に形成された第２の端子電極５ａ〜５ｄとを備えている。
【０１２７】
第５実施形態に係る積層コンデンサでは、図６に示されるように、第１の内部電極５９が、引き出し導体１７１を介して第１の端子電極３ａに電気的に接続されている。第１の内部電極６０が、引き出し導体１７２を介して第１の端子電極３ｂに電気的に接続されている。第１の内部電極６１が、引き出し導体１７３を介して第１の端子電極３ｃに電気的に接続されている。第１の内部電極６２が、引き出し導体１７４を介して第１の端子電極３ｄに電気的に接続されている。これにより、第１の内部電極５５〜５８も、第１の端子電極３ａ〜３ｄに電気的に接続されることとなり、第１の内部電極５１〜６２は並列接続されることとなる。各引き出し導体１７１，１７２は、対応する第１の内部電極５９，６０と一体に形成されており、積層体１の側面１ａに臨むように、各第１の内部電極５９，６０から伸びている。各引き出し導体１７３，１７４は、対応する第１の内部電極６１，６２と一体に形成されており、積層体１の側面１ｂに臨むように、各第１の内部電極６１，６２から伸びている。
【０１２８】
第２の内部電極７９は、引き出し導体１８１を介して第２の端子電極５ａに電気的に接続されている。第２の内部電極８０は、引き出し導体１８２を介して第２の端子電極５ｂに電気的に接続されている。第２の内部電極８１は、引き出し導体１８３を介して第２の端子電極５ｃに電気的に接続されている。第２の内部電極８２は、引き出し導体１８４を介して第２の端子電極５ｄに電気的に接続されている。これにより、第２の内部電極７５〜７８も、第２の端子電極５ａ〜５ｄに電気的に接続されることとなり、第２の内部電極７１〜８２は並列接続されることとなる。各引き出し導体１８１，１８２は、対応する第２の内部電極７９，８０と一体に形成されており、積層体１の側面１ａに臨むように、各第２の内部電極７９，８０から伸びている。各引き出し導体１８３，１８４は、対応する第２の内部電極８１，８２と一体に形成されており、積層体１の側面１ｂに臨むように、各第２の内部電極８１，８２から伸びている。
【０１２９】
第５実施形態に係る積層コンデンサでは、引き出し導体１７１〜１７４を介して第１の端子電極３ａ〜３ｄに直接接続される第１の内部電極５１〜５４，５９〜６２の数を８つとし、第１の内部電極５１〜６２の総数よりも少なくされている。また、引き出し導体１８１〜１８４を介して第２の端子電極５ａ〜５ｄに直接接続される第２の内部電極７１〜７４，７９〜８２の数を８つとし、第２の内部電極７１〜８２の総数よりも少なくされている。したがって、第５実施形態に係る積層コンデンサは、すべての内部電極が対応する端子電極に引き出し導体を介して接続されている従来の積層コンデンサに比して、等価直列抵抗が大きくなる。
【０１３０】
第５実施形態に係る積層コンデンサは、積層コンデンサＣ１に比して、引き出し導体１７１〜１７４を介して第１の端子電極３ａ〜３ｄに直接接続される第１の内部電極５１〜５４，５９〜６２の数が多く、これらの引き出し導体１７１〜１７４は対応する第１の端子電極３ａ〜３ｄに対して並列接続される。また、引き出し導体１８１〜１８４を介して第２の端子電極５ａ〜５ｄに直接接続される第２の内部電極７１〜７４，７９〜８２の数が多く、これらの引き出し導体１８１〜１８４は対応する第２の端子電極５ａ〜５ｄに対して並列接続される。したがって、第５実施形態に係る積層コンデンサの等価直列抵抗は、積層コンデンサＣ１の等価直列抵抗が小さくなる。
【０１３１】
以上のように、本実施形態によれば、引き出し導体１７１〜１７４を介して第１の端子電極３ａ〜３ｄに直接接続される第１の内部電極５１〜５４，５９〜６２の数と引き出し導体１８１〜１８４を介して第２の端子電極５ａ〜５ｄに直接接続される第２の内部電極７１〜７４，７９〜８２の数とをそれぞれ調整することにより、積層コンデンサの等価直列抵抗が所望の値に設定されるので、等価直列抵抗の制御を容易に且つ精度良く行うことができる。
【０１３２】
（第６実施形態）
図７を参照して、第６実施形態に係る積層コンデンサの構成について説明する。第６実施形態に係る積層コンデンサは、引き出し導体１７１〜１７４を介して第１の端子電極３ａ〜３ｄに電気的に接続される第１の内部電極の数と、引き出し導体１８１〜１８４を介して第２の端子電極５ａ〜５ｄに電気的に接続される第２の内部電極の数との点で第１実施形態に係る積層コンデンサＣ１と相違する。また、第６実施形態に係る積層コンデンサは、引き出し導体１７１〜１７４を介して第１の端子電極３ａ〜３ｄに電気的に接続される第１の内部電極の積層方向で位置と、引き出し導体１８１〜１８４を介して第２の端子電極５ａ〜５ｄに電気的に接続される第２の内部電極の積層方向で位置との点で第５実施形態に係る積層コンデンサと相違する。図７は、第６実施形態に係る積層コンデンサに含まれる積層体の分解斜視図である。
【０１３３】
第６実施形態に係る積層コンデンサは、図示は省略するが、第１実施形態に係る積層コンデンサＣ１と同じく、積層体１と、当該積層体１に形成された第１の端子電極３ａ〜３ｄと、同じく積層体１に形成された第２の端子電極５ａ〜５ｄとを備えている。
【０１３４】
第５実施形態に係る積層コンデンサでは、図７に示されるように、各第１の内部電極５３，５７が、引き出し導体１７１を介して第１の端子電極３ａに電気的に接続されている。各第１の内部電極５４，５８が、引き出し導体１７２を介して第１の端子電極３ｂに電気的に接続されている。各第１の内部電極５５，５９が、引き出し導体１７３を介して第１の端子電極３ｃに電気的に接続されている。各第１の内部電極５６，６０が、引き出し導体１７４を介して第１の端子電極３ｄに電気的に接続されている。これにより、第１の内部電極５１，５２，６１，６２も、第１の端子電極３ａ〜３ｄに電気的に接続されることとなり、第１の内部電極５１〜６２は並列接続されることとなる。各引き出し導体１７１，１７２は、対応する第１の内部電極５３，５４，５７，５８と一体に形成されており、積層体１の側面１ａに臨むように、各第１の内部電極５３，５４，５７，５８から伸びている。各引き出し導体１７３，１７４は、対応する第１の内部電極５５，５６，５９，６０と一体に形成されており、積層体１の側面１ｂに臨むように、各第１の内部電極５５，５６，５９，６０から伸びている。
【０１３５】
各第２の内部電極７３，７７は、引き出し導体１８１を介して第２の端子電極５ａに電気的に接続されている。各第２の内部電極７４，７８は、引き出し導体１８２を介して第２の端子電極５ｂに電気的に接続されている。各第２の内部電極７５，７９は、引き出し導体１８３を介して第２の端子電極５ｃに電気的に接続されている。各第２の内部電極７６，８０は、引き出し導体１８４を介して第２の端子電極５ｄに電気的に接続されている。これにより、第２の内部電極７１，７２，８１，８２も、第２の端子電極５ａ〜５ｄに電気的に接続されることとなり、第２の内部電極７１〜８２は並列接続されることとなる。各引き出し導体１８１，１８２は、対応する第２の内部電極７３，７４，７７，７８と一体に形成されており、積層体１の側面１ａに臨むように、各第２の内部電極７３，７４，７７，７８から伸びている。各引き出し導体１８３，１８４は、対応する第２の内部電極７５，７６，７９，８０と一体に形成されており、積層体１の側面１ｂに臨むように、各第２の内部電極７５，７６，７９，８０から伸びている。
【０１３６】
第６実施形態に係る積層コンデンサでは、引き出し導体１７１〜１７４を介して第１の端子電極３ａ〜３ｄに直接接続される第１の内部電極５３〜６０の数を８つとし、第１の内部電極５１〜６２の総数よりも少なくされている。また、引き出し導体１８１〜１８４を介して第２の端子電極５ａ〜５ｄに直接接続される第２の内部電極７３〜８０の数を８つとし、第２の内部電極７１〜８２の総数よりも少なくされている。したがって、第６実施形態に係る積層コンデンサは、すべての内部電極が対応する端子電極に引き出し導体を介して接続されている従来の積層コンデンサに比して、等価直列抵抗が大きくなる。
【０１３７】
第６実施形態に係る積層コンデンサは、積層コンデンサＣ１に比して、引き出し導体１７１〜１７４を介して第１の端子電極３ａ〜３ｄに直接接続される第１の内部電極５３〜６０の数が多く、これらの引き出し導体１７１〜１７４は対応する第１の端子電極３ａ〜３ｄに対して並列接続される。また、引き出し導体１８１〜１８４を介して第２の端子電極５ａ〜５ｄに直接接続される第２の内部電極７３〜８０の数が多く、これらの引き出し導体１８１〜１８４は対応する第２の端子電極５ａ〜５ｄに対して並列接続される。したがって、第６実施形態に係る積層コンデンサの等価直列抵抗は、積層コンデンサＣ１の等価直列抵抗が小さくなる。
【０１３８】
また、第６実施形態に係る積層コンデンサは、第２〜第４実施形態と同様に、スルーホール導体１３１ａ〜１５３ａ，１３１ｂ〜１５３ｂの抵抗成分の差異に起因して第５実施形態に係る積層コンデンサに比して等価直列抵抗が小さくなる。
【０１３９】
以上のように、本実施形態によれば、引き出し導体１７１〜１７４を介して第１の端子電極３ａ〜３ｄに直接接続される第１の内部電極５３〜６０の数及び積層方向での位置と、引き出し導体１８１〜１８４を介して第２の端子電極５ａ〜５ｄに直接接続される第２の内部電極７３〜８０の数及び積層方向での位置とをそれぞれ調整することにより、積層コンデンサの等価直列抵抗が所望の値に設定されるので、等価直列抵抗の制御を容易に且つ精度良く行うことができる。
【０１４０】
（第７実施形態）
図８を参照して、第７実施形態に係る積層コンデンサの構成について説明する。第７実施形態に係る積層コンデンサは、引き出し導体１７１〜１７４を介して第１の端子電極３ａ〜３ｄに電気的に接続される第１の内部電極の数と、引き出し導体１８１〜１８４を介して第２の端子電極５ａ〜５ｄに電気的に接続される第２の内部電極の数との点で第１実施形態に係る積層コンデンサＣ１と相違する。また、第７実施形態に係る積層コンデンサは、引き出し導体１７１〜１７４を介して第１の端子電極３ａ〜３ｄに電気的に接続される第１の内部電極の積層方向で位置と、引き出し導体１８１〜１８４を介して第２の端子電極５ａ〜５ｄに電気的に接続される第２の内部電極の積層方向で位置との点で第５実施形態に係る積層コンデンサと相違する。図８は、第７実施形態に係る積層コンデンサに含まれる積層体の分解斜視図である。
【０１４１】
第７実施形態に係る積層コンデンサは、図示は省略するが、第１実施形態に係る積層コンデンサＣ１と同じく、積層体１と、当該積層体１に形成された第１の端子電極３ａ〜３ｄと、同じく積層体１に形成された第２の端子電極５ａ〜５ｄとを備えている。
【０１４２】
第７実施形態に係る積層コンデンサでは、引き出し導体１７１〜１７４を介して第１の端子電極３ａ〜３ｄに直接接続される第１の内部電極５１〜５４，５７〜６０の数を８つとし、第１の内部電極５１〜６２の総数よりも少なくされている。また、引き出し導体１８１〜１８４を介して第２の端子電極５ａ〜５ｄに直接接続される第２の内部電極７１〜７４，７７〜８０の数を８つとし、第２の内部電極７１〜８２の総数よりも少なくされている。したがって、第７実施形態に係る積層コンデンサは、すべての内部電極が対応する端子電極に引き出し導体を介して接続されている従来の積層コンデンサに比して、等価直列抵抗が大きくなる。
【０１４３】
第７実施形態に係る積層コンデンサは、積層コンデンサＣ１に比して、引き出し導体１７１〜１７４を介して第１の端子電極３ａ〜３ｄに直接接続される第１の内部電極５１〜５４，５７〜６０の数が多く、これらの引き出し導体１７１〜１７４は対応する第１の端子電極３ａ〜３ｄに対して並列接続される。また、引き出し導体１８１〜１８４を介して第２の端子電極５ａ〜５ｄに直接接続される第２の内部電極７１〜７４，７７〜８０の数が多く、これらの引き出し導体１８１〜１８４は対応する第２の端子電極５ａ〜５ｄに対して並列接続される。したがって、第７実施形態に係る積層コンデンサの等価直列抵抗は、積層コンデンサＣ１の等価直列抵抗が小さくなる。
【０１４４】
また、第７実施形態に係る積層コンデンサは、第２〜第４実施形態と同様に、スルーホール導体１３１ａ〜１５３ａ，１３１ｂ〜１５３ｂの抵抗成分の差異に起因して第５実施形態に係る積層コンデンサに比して等価直列抵抗が小さくなる。
【０１４５】
以上のように、本実施形態によれば、引き出し導体１７１〜１７４を介して第１の端子電極３ａ〜３ｄに直接接続される第１の内部電極５１〜５４，５７〜６０の数及び積層方向での位置と、引き出し導体１８１〜１８４を介して第２の端子電極５ａ〜５ｄに直接接続される第２の内部電極７１〜７４，７７〜８０の数及び積層方向での位置とをそれぞれ調整することにより、積層コンデンサの等価直列抵抗が所望の値に設定されるので、等価直列抵抗の制御を容易に且つ精度良く行うことができる。
【０１４６】
（第８実施形態）
図９を参照して、第８実施形態に係る積層コンデンサの構成について説明する。第８実施形態に係る積層コンデンサは、引き出し導体１７１〜１７４を介して第１の端子電極３ａ〜３ｄに電気的に接続される第１の内部電極の数と、引き出し導体１８１〜１８４を介して第２の端子電極５ａ〜５ｄに電気的に接続される第２の内部電極の数との点で第１実施形態に係る積層コンデンサＣ１と相違する。また、第７実施形態に係る積層コンデンサは、引き出し導体１７１〜１７４を介して第１の端子電極３ａ〜３ｄに電気的に接続される第１の内部電極の積層方向で位置と、引き出し導体１８１〜１８４を介して第２の端子電極５ａ〜５ｄに電気的に接続される第２の内部電極の積層方向で位置との点で第５実施形態に係る積層コンデンサと相違する。図９は、第８実施形態に係る積層コンデンサに含まれる積層体の分解斜視図である。
【０１４７】
第８実施形態に係る積層コンデンサは、図示は省略するが、第１実施形態に係る積層コンデンサＣ１と同じく、積層体１と、当該積層体１に形成された第１の端子電極３ａ〜３ｄと、同じく積層体１に形成された第２の端子電極５ａ〜５ｄとを備えている。
【０１４８】
第８実施形態に係る積層コンデンサでは、引き出し導体１７１〜１７４を介して第１の端子電極３ａ〜３ｄに直接接続される第１の内部電極５１，５２，５４，５５，５７，５８，６０，６１の数を８つとし、第１の内部電極５１〜６２の総数よりも少なくされている。また、引き出し導体１８１〜１８４を介して第２の端子電極５ａ〜５ｄに直接接続される第２の内部電極７１，７２，７４，７５，７７，７８，８０，８１の数を８つとし、第２の内部電極７１〜８２の総数よりも少なくされている。したがって、第８実施形態に係る積層コンデンサは、すべての内部電極が対応する端子電極に引き出し導体を介して接続されている従来の積層コンデンサに比して、等価直列抵抗が大きくなる。
【０１４９】
第８実施形態に係る積層コンデンサは、積層コンデンサＣ１に比して、引き出し導体１７１〜１７４を介して第１の端子電極３ａ〜３ｄに直接接続される第１の内部電極５１，５２，５４，５５，５７，５８，６０，６１の数が多く、これらの引き出し導体１７１〜１７４は対応する第１の端子電極３ａ〜３ｄに対して並列接続される。また、引き出し導体１８１〜１８４を介して第２の端子電極５ａ〜５ｄに直接接続される第２の内部電極７１，７２，７４，７５，７７，７８，８０，８１の数が多く、これらの引き出し導体１８１〜１８４は対応する第２の端子電極５ａ〜５ｄに対して並列接続される。したがって、第７実施形態に係る積層コンデンサの等価直列抵抗は、積層コンデンサＣ１の等価直列抵抗が小さくなる。
【０１５０】
また、第８実施形態に係る積層コンデンサは、第２〜第４実施形態と同様に、スルーホール導体１３１ａ〜１５３ａ，１３１ｂ〜１５３ｂの抵抗成分の差異に起因して第５実施形態に係る積層コンデンサに比して等価直列抵抗が小さくなる。
【０１５１】
以上のように、本実施形態によれば、引き出し導体１７１〜１７４を介して第１の端子電極３ａ〜３ｄに直接接続される第１の内部電極５１，５２，５４，５５，５７，５８，６０，６１の数及び積層方向での位置と、引き出し導体１８１〜１８４を介して第２の端子電極５ａ〜５ｄに直接接続される第２の内部電極７１，７２，７４，７５，７７，７８，８０，８１の数及び積層方向での位置とをそれぞれ調整することにより、積層コンデンサの等価直列抵抗が所望の値に設定されるので、等価直列抵抗の制御を容易に且つ精度良く行うことができる。
【０１５２】
（第９実施形態）
図１０を参照して、第９実施形態に係る積層コンデンサの構成について説明する。図１０は、第９実施形態に係る積層コンデンサに含まれる積層体の分解斜視図である。
【０１５３】
第９実施形態に係る積層コンデンサは、図示は省略するが、第１実施形態に係る積層コンデンサＣ１と同じく、積層体１と、当該積層体１に形成された第１の端子電極３ａ〜３ｄと、同じく積層体１に形成された第２の端子電極５ａ〜５ｄとを備えている。
【０１５４】
積層体１は、図１０にも示されるように、複数（本実施形態では、３９層）の誘電体層１１〜４９と、複数（本実施形態では、各１９層）の第１及び第１の内部電極５１〜６９，７１〜８９とが交互に積層されることにより構成される。実際の積層コンデンサでは、誘電体層１１〜４９の間の境界が視認できない程度に一体化されている。
【０１５５】
各第１の内部電極５１〜６９は、矩形形状を呈している。第１の内部電極５１〜６９は、積層体１における誘電体層１１〜４９の積層方向（以下、単に「積層方向」と称する。）に平行な側面から所定の間隔を有した位置にそれぞれ形成されている。各第１の内部電極５１〜６９には、誘電体層１１，１３，１５，１７，１９，２１，２３，２５，２７，２９，３１，３３，３５，３７，３９，４１，４３，４５，４７が露出するように、開口が形成されている。各誘電体層１１，１３，１５，１７，１９，２１，２３，２５，２７，２９，３１，３３，３５，３７，３９，４１，４３，４５，４７が上には、第１の内部電極５１〜６９に形成された開口に対応する領域に、ランド状の内部導体９１〜１０９が位置している。
【０１５６】
各第２の内部電極７１〜８９は、矩形形状を呈している。第２の内部電極７１〜８９は、積層体１における積層方向に平行な側面から所定の間隔を有した位置にそれぞれ形成されている。各第２の内部電極７１〜８９には、誘電体層１２，１４，１６，１８，２０，２２２６，２６，２８，３０，３２，３４，３６，３８，４０，４２，４４，４６，４８が露出するように、開口が形成されている。各誘電体層１２，１４，１６，１８，２０，２２２６，２６，２８，３０，３２，３４，３６，３８，４０，４２，４４，４６，４８上には、第２の内部電極７１〜８９に形成された開口に対応する領域に、ランド状の内部導体１１１〜１２９が位置している。
【０１５７】
誘電体層１１，１３，１５，１７，１９，２１，２３，２５，２７，２９，３１，３３，３５，３７，３９，４１，４３，４５，４７における内部導体１１１〜１２９に対応する位置には、誘電体層１１を厚み方向に貫通するスルーホール導体１３１ａ，１３３ａ，１３５ａ，１３７ａ，１３９ａ，１４１ａ，１４３ａ，１４５ａ，１４７ａ，１４９ａ，１５１ａ，１５３ａ，１５５ａ，１５７ａ，１５９ａ，１６１ａ，１６３ａ，１６５ａ，１６７ａが形成されている。誘電体層１１，１３，１５，１７，１９，２１，２３，２５，２７，２９，３１，３３，３５，３７，３９，４１，４３，４５，４７における内部導体９１〜１０９に対応する位置には、誘電体層１１を厚み方向に貫通するスルーホール導体１３１ｂ，１３３ｂ，１３５ｂ，１３７ｂ，１３９ｂ，１４１ｂ，１４３ｂ，１４５ｂ，１４７ｂ，１４９ｂ，１５１ｂ，１５３ｂ，１５５ｂ，１５７ｂ，１５９ｂ，１６１ｂ，１６３ｂ，１６５ｂ，１６７ｂが形成されている。スルーホール導体１３１ａ，１３３ａ，１３５ａ，１３７ａ，１３９ａ，１４１ａ，１４３ａ，１４５ａ，１４７ａ，１４９ａ，１５１ａ，１５３ａ，１５５ａ，１５７ａ，１５９ａ，１６１ａ，１６３ａ，１６５ａ，１６７ａは、対応する第１の内部電極５１〜６９に電気的に接続されている。スルーホール導体１３１ｂ，１３３ｂ，１３５ｂ，１３７ｂ，１３９ｂ，１４１ｂ，１４３ｂ，１４５ｂ，１４７ｂ，１４９ｂ，１５１ｂ，１５３ｂ，１５５ｂ，１５７ｂ，１５９ｂ，１６１ｂ，１６３ｂ，１６５ｂ，１６７ｂは、対応する内部導体９１〜１０９に電気的に接続されている。スルーホール導体１３１ａ，１３３ａ，１３５ａ，１３７ａ，１３９ａ，１４１ａ，１４３ａ，１４５ａ，１４７ａ，１４９ａ，１５１ａ，１５３ａ，１５５ａ，１５７ａ，１５９ａ，１６１ａ，１６３ａ，１６５ａ，１６７ａは、誘電体層１１〜４８が積層された状態で、対応する内部導体１１１〜１２９と電気的に接続される。スルーホール導体１３１ｂ，１３３ｂ，１３５ｂ，１３７ｂ，１３９ｂ，１４１ｂ，１４３ｂ，１４５ｂ，１４７ｂ，１４９ｂ，１５１ｂ，１５３ｂ，１５５ｂ，１５７ｂ，１５９ｂ，１６１ｂ，１６３ｂ，１６５ｂ，１６７ｂは、誘電体層１１〜４８が積層された状態で、対応する第２の内部電極７１〜８９と電気的に接続される。
【０１５８】
誘電体層１２，１４，１６，１８，２０，２２２６，２６，２８，３０，３２，３４，３６，３８，４０，４２，４４，４６における内部導体１１１〜１２９に対応する位置には、誘電体層１２，１４，１６，１８，２０，２２２６，２６，２８，３０，３２，３４，３６，３８，４０，４２，４４，４６を厚み方向に貫通するスルーホール導体１３２ａ，１３４ａ，１３６ａ，１３８ａ，１４０ａ，１４２ａ，１４４ａ，１４６ａ，１４８ａ，１５０ａ，１５２ａ，１５４ａ，１５６ａ，１５８ａ，１６０ａ，１６２ａ，１６４ａ，１６６ａがそれぞれ形成されている。誘電体層１２，１４，１６，１８，２０，２２２６，２６，２８，３０，３２，３４，３６，３８，４０，４２，４４，４６における内部導体９１〜１０９に対応する位置には、誘電体層１２を厚み方向に貫通するスルーホール導体１３２ｂ，１３４ｂ，１３６ｂ，１３８ｂ，１４０ｂ，１４２ｂ，１４４ｂ，１４６ｂ，１４８ｂ，１５０ｂ，１５２ｂ，１５４ｂ，１５６ｂ，１５８ｂ，１６０ｂ，１６２ｂ，１６４ｂ，１６６ｂがそれぞれ形成されている。スルーホール導体１３２ａ，１３４ａ，１３６ａ，１３８ａ，１４０ａ，１４２ａ，１４４ａ，１４６ａ，１４８ａ，１５０ａ，１５２ａ，１５４ａ，１５６ａ，１５８ａ，１６０ａ，１６２ａ，１６４ａ，１６６ａは、対応する内部導体１１１〜１２９に電気的に接続されている。スルーホール導体１３２ｂ，１３４ｂ，１３６ｂ，１３８ｂ，１４０ｂ，１４２ｂ，１４４ｂ，１４６ｂ，１４８ｂ，１５０ｂ，１５２ｂ，１５４ｂ，１５６ｂ，１５８ｂ，１６０ｂ，１６２ｂ，１６４ｂ，１６６ｂは、対応する第２の内部電極７１〜８８に電気的に接続されている。スルーホール導体１３２ａ，１３４ａ，１３６ａ，１３８ａ，１４０ａ，１４２ａ，１４４ａ，１４６ａ，１４８ａ，１５０ａ，１５２ａ，１５４ａ，１５６ａ，１５８ａ，１６０ａ，１６２ａ，１６４ａ，１６６ａは、誘電体層１１〜４８が積層された状態で、第１の内部電極５１〜６９と電気的に接続される。スルーホール導体１３２ｂ，１３４ｂ，１３６ｂ，１３８ｂ，１４０ｂ，１４２ｂ，１４４ｂ，１４６ｂ，１４８ｂ，１５０ｂ，１５２ｂ，１５４ｂ，１５６ｂ，１５８ｂ，１６０ｂ，１６２ｂ，１６４ｂ，１６６ｂは、誘電体層１１〜４８が積層された状態で、内部導体９２〜１０９と電気的に接続される。
【０１５９】
スルーホール導体１３１ａ〜１６７ａは、誘電体層１１〜４８が積層されることにより、積層方向に略直線状に併設され、相互に電気的に接続されることにより通電経路を構成する。第１の内部電極５１〜６９は、スルーホール導体１３１ａ〜１６７ａ及び内部導体１１１〜１２９を介して互いに電気的に接続されている。
【０１６０】
第１の内部電極５１，５５，６５は、引き出し導体１７１を介して第１の端子電極３ａに電気的に接続されている。第１の内部電極５２，５６，６６は、引き出し導体１７２を介して第１の端子電極３ｂに電気的に接続されている。第１の内部電極５３，５９，６７は、引き出し導体１７３を介して第１の端子電極３ｃに電気的に接続されている。第１の内部電極５４，６１は、引き出し導体１７４を介して第１の端子電極３ｄに電気的に接続されている。これにより、第１の内部電極５７，５８，６０，６２〜６４，６８，６９も第１の端子電極３ａ〜３ｄに電気的に接続されることとなり、第１の内部電極５１〜６９は並列接続されることとなる。
【０１６１】
各引き出し導体１７１，１７２は、対応する第１の内部電極５１，５５，６５，５２，５６，６６と一体に形成されており、積層体１の側面１ａに臨むように、各第１の内部電極５１，５５，６５，５２，５６，６６から伸びている。各引き出し導体１７３，１７４は、対応する第１の内部電極５３，５９，６７，５４，６１と一体に形成されており、積層体１の側面１ｂに臨むように、各第１の内部電極５３，５９，６７，５４，６１から伸びている。
【０１６２】
スルーホール導体１３１ｂ〜１６７ｂも、スルーホール導体１３１ａ〜１６７ａと同様に、誘電体層１１〜４８が積層されることにより、積層方向に略直線状に併設され、相互に電気的に接続されることにより通電経路を構成する。第２の内部電極７１〜８９は、スルーホール導体１３１ｂ〜１６７ｂ及び内部導体９１〜１０９を介して互いに電気的に接続されている。
【０１６３】
第２の内部電極７１，７５，８５は、引き出し導体１８１を介して第２の端子電極５ａに電気的に接続されている。第２の内部電極７２，７６，８６は、引き出し導体１８２を介して第２の端子電極５ｂに電気的に接続されている。第２の内部電極７３，７９，８７は、引き出し導体１８３を介して第２の端子電極５ｃに電気的に接続されている。第２の内部電極７４，８１は、引き出し導体１８４を介して第２の端子電極５ｄに電気的に接続されている。これにより、第２の内部電極７７，７８，８０，８２〜８４，８８，８９も、第２の端子電極５ａ〜５ｄに電気的に接続されることとなり、第２の内部電極７１〜８９は並列接続されることとなる。
【０１６４】
各引き出し導体１８１，１８２は、対応する第２の内部電極７１，７５，８５，７２，７６，８６と一体に形成されており、積層体１の側面１ａに臨むように、各第２の内部電極７１，７５，８５，７２，７６，８６から伸びている。各引き出し導体１８３，１８４は、対応する第２の内部電極７３，７９，８７，７４，８１と一体に形成されており、積層体１の側面１ｂに臨むように、各第２の内部電極７３，７９，８７，７４，８１から伸びている。
【０１６５】
第９実施形態に係る積層コンデンサでは、引き出し導体１７１〜１７４を介して第１の端子電極３ａ〜３ｄに直接接続される第１の内部電極５１〜５６，５９，６１，６５〜６７の数を１１とし、第１の内部電極５１〜６９の総数（本実施形態では、１９）よりも少なくされている。また、引き出し導体１８１〜１８４を介して第２の端子電極５ａ〜５ｄに直接接続される第２の内部電極７１〜７６，７９，８１，８５〜８７の数を１１とし、第２の内部電極７１〜８９の総数（本実施形態では、１９）よりも少なくされている。これにより、第９実施形態に係る積層コンデンサは、すべての内部電極が対応する端子電極に引き出し導体を介して接続されている従来の積層コンデンサに比して、等価直列抵抗が大きくなる。
【０１６６】
また、第９実施形態に係る積層コンデンサは、第２〜第４実施形態と同様に、スルーホール導体１３１ａ〜１６７ａ，１３１ｂ〜１６７ｂの抵抗成分の差異に起因して、引き出し導体１７１〜１７４，１８１〜１８４を介して端子電極３ａ〜３ｄ，５ａ〜５ｄに直接接続される内部電極５１〜５６，５９，６１，６５〜６７，７１〜７６，７９，８１，８５〜８７を積層方向に隣り合うように配置した積層コンデンサに比して等価直列抵抗が小さくなる。
【０１６７】
以上のように、本実施形態によれば、引き出し導体１７１〜１７４を介して第１の端子電極３ａ〜３ｄに電気的に接続される第１の内部電極５１〜５６，５９，６１，６５〜６７の数及び積層方向での位置と、引き出し導体１８１〜１８４を介して第２の端子電極５ａ〜５ｄに電気的に接続される第２の内部電極７１〜７６，７９，８１，８５〜８７の数及び積層方向での位置とをそれぞれ調整することにより、積層コンデンサＣ１の等価直列抵抗が所望の値に設定されるので、等価直列抵抗の制御を容易に且つ精度良く行うことができる。
【０１６８】
（第１０実施形態）
図１１及び図１２を参照して、第１０実施形態に係る積層コンデンサＣ２の構成について説明する。図１１は、第１０実施形態に係る積層コンデンサを示す斜視図である。図１２は、第１０実施形態に係る積層コンデンサに含まれる積層体の分解斜視図である。第１０実施形態に係る積層コンデンサＣ２は、第１及び第２の端子電極の数の点で第１実施形態に係る積層コンデンサＣ１と相違する。
【０１６９】
積層コンデンサＣ２は、図１１に示されるように、積層体１と、当該積層体１に形成された複数（本実施形態では、５つ）の第１の端子電極３ａ〜３ｅと、同じく積層体１に形成された複数（本実施形態では、５つ）の第２の端子電極５ａ〜５ｅとを備える。
【０１７０】
第１の端子電極３ａは、積層体１の側面１ｃ側に位置している。各第１の端子電極３ｂ，３ｃと各第２の端子電極５ａ，５ｂとは、積層体１の側面１ａ側に位置している。第２の端子電極５ｃとは、積層体１の側面１ｄ側に位置している。各第１の端子電極３ｄ，３ｅと各第２の端子電極５ｄ，５ｅとは、積層体１の側面１ｂ側に位置している。第１の端子電極３ａ〜３ｅと第２の端子電極５ａ〜５ｅとは、互いに電気的に絶縁されている。
【０１７１】
積層コンデンサＣ２では、図１２に示されるように、各第１の内部電極５１，５８が、引き出し導体１７１を介して第１の端子電極３ａに電気的に接続されている。各第１の内部電極５２，５９が、引き出し導体１７２を介して第１の端子電極３ｂに電気的に接続されている。各第１の内部電極５３，６０が、引き出し導体１７３を介して第１の端子電極３ｃに電気的に接続されている。各第１の内部電極５４，６１が、引き出し導体１７４を介して第１の端子電極３ｄに電気的に接続されている。各第１の内部電極５５，６２が、引き出し導体１７５を介して第１の端子電極３ｅに電気的に接続されている。これにより、第１の内部電極５６，５７も、第１の端子電極３ａ〜３ｅに電気的に接続されることとなり、第１の内部電極５１〜６２は並列接続されることとなる。
【０１７２】
引き出し導体１７１は、第１の内部電極５１，５８と一体に形成されており、積層体１の側面１ｃに臨むように、第１の内部電極５１，５８から伸びている。各引き出し導体１７２，１７３は、対応する第１の内部電極５２，５３，５９，６０と一体に形成されており、積層体１の側面１ａに臨むように、各第１の内部電極５２，５３，５９，６０から伸びている。各引き出し導体１７４，１７５は、対応する第１の内部電極５４，５５，６１，６２と一体に形成されており、積層体１の側面１ｂに臨むように、各第１の内部電極５４，５５，６１，６２から伸びている。
【０１７３】
各第２の内部電極７１，７８は、引き出し導体１８１を介して第２の端子電極５ａに電気的に接続されている。各第２の内部電極７２，７９は、引き出し導体１８２を介して第２の端子電極５ｂに電気的に接続されている。各第２の内部電極７３，８０は、引き出し導体１８３を介して第２の端子電極５ｃに電気的に接続されている。各第２の内部電極７４，８１は、引き出し導体１８４を介して第２の端子電極５ｄに電気的に接続されている。各第２の内部電極７５，８２は、引き出し導体１８５を介して第２の端子電極５ｅに電気的に接続されている。これにより、第２の内部電極７５，７６も、第２の端子電極５ａ〜５ｅに電気的に接続されることとなり、第２の内部電極７１〜８２は並列接続されることとなる。
【０１７４】
各引き出し導体１８１，１８２は、対応する第２の内部電極７１，７２，７８，７９と一体に形成されており、積層体１の側面１ａに臨むように、各第２の内部電極７１，７２，７８，７９から伸びている。引き出し導体１８３は、第２の内部電極７３，８０と一体に形成されており、積層体１の側面１ｄに臨むように、第２の内部電極７３，８０から伸びている。各引き出し導体１８４，１８５は、対応する第２の内部電極７４，７５，８１，８２と一体に形成されており、積層体１の側面１ｂに臨むように、各第２の内部電極７４，７５，８１，８２から伸びている。
【０１７５】
第１０実施形態に係る積層コンデンサＣ２では、引き出し導体１７１〜１７５を介して第１の端子電極３ａ〜３ｅに直接接続される第１の内部電極５１〜５５，５８〜６２の数を１０つとし、第１の内部電極５１〜６２の総数（本実施形態では、１２）よりも少なくされている。また、引き出し導体１８１〜１８５を介して第２の端子電極５ａ〜５ｅに直接接続される第２の内部電極７１〜７５，７８〜８２の数を１０つとし、第２の内部電極７１〜８２の総数（本実施形態では、１２）よりも少なくされている。これらにより、積層コンデンサＣ２は、すべての内部電極が対応する端子電極に引き出し導体を介して接続されている従来の積層コンデンサに比して、等価直列抵抗が大きくなる。
【０１７６】
以上のように、本実施形態によれば、引き出し導体１７１〜１７５を介して第１の端子電極３ａ〜３ｅに直接接続される第１の内部電極５１〜５５，５８〜６２の数と引き出し導体１８１〜１８５を介して第２の端子電極５ａ〜５ｅに直接接続される第２の内部電極７１〜７５，７８〜８２の数とをそれぞれ調整することにより、積層コンデンサＣ２の等価直列抵抗が所望の値に設定されるので、等価直列抵抗の制御を容易に且つ精度良く行うことができる。
【０１７７】
（第１１実施形態）
図１３及び図１４を参照して、第１１実施形態に係る積層コンデンサＣ３の構成について説明する。図１３は、第１１実施形態に係る積層コンデンサを示す斜視図である。図１４は、第１１実施形態に係る積層コンデンサに含まれる積層体の分解斜視図である。第１１実施形態に係る積層コンデンサＣ３は、第１及び第２の端子電極の数の点で第１実施形態に係る積層コンデンサＣ１と相違する。
【０１７８】
積層コンデンサＣ３は、図１３に示されるように、積層体１と、当該積層体１に形成された複数（本実施形態では、６つ）の第１の端子電極３ａ〜３ｆと、同じく積層体１に形成された複数（本実施形態では、６つ）の第２の端子電極５ａ〜５ｆとを備える。
【０１７９】
第１の端子電極３ａ及び第２の端子電極５ａは、積層体１の側面１ｃ側に位置している。各第１の端子電極３ｂ，３ｃと各第２の端子電極５ｂ，５ｃとは、積層体１の側面１ａ側に位置している。第１の端子電極３ｄ及び第２の端子電極５ｄとは、積層体１の側面１ｄ側に位置している。各第１の端子電極３ｅ，３ｆと各第２の端子電極５ｅ，５ｆとは、積層体１の側面１ｂ側に位置している。第１の端子電極３ａ〜３ｆと第２の端子電極５ａ〜５ｆとは、互いに電気的に絶縁されている。
【０１８０】
積層コンデンサＣ３では、図１４に示されるように、各第１の内部電極５１が、引き出し導体１７１を介して第１の端子電極３ａに電気的に接続されている。第１の内部電極５２が、引き出し導体１７２を介して第１の端子電極３ｂに電気的に接続されている。第１の内部電極５３が、引き出し導体１７３を介して第１の端子電極３ｃに電気的に接続されている。第１の内部電極６０が、引き出し導体１７４を介して第１の端子電極３ｄに電気的に接続されている。第１の内部電極６１が、引き出し導体１７５を介して第１の端子電極３ｅに電気的に接続されている。第１の内部電極６２が、引き出し導体１７６を介して第１の端子電極３ｆに電気的に接続されている。これにより、第１の内部電極５４〜５９も、第１の端子電極３ａ〜３ｆに電気的に接続されることとなり、第１の内部電極５１〜６２は並列接続されることとなる。
【０１８１】
引き出し導体１７１は、第１の内部電極５１と一体に形成されており、積層体１の側面１ｃに臨むように、第１の内部電極５１から伸びている。各引き出し導体１７２，１７３は、対応する第１の内部電極５２，５３と一体に形成されており、積層体１の側面１ａに臨むように、各第１の内部電極５２，５３から伸びている。引き出し導体１７４は、第１の内部電極６０と一体に形成されており、積層体１の側面１ｄに臨むように、第１の内部電極６０から伸びている。各引き出し導体１７５，１７６は、対応する第１の内部電極６１，６２と一体に形成されており、積層体１の側面１ｂに臨むように、各第１の内部電極６１，６２から伸びている。
【０１８２】
第２の内部電極７１は、引き出し導体１８１を介して第２の端子電極５ａに電気的に接続されている。第２の内部電極７２は、引き出し導体１８２を介して第２の端子電極５ｂに電気的に接続されている。第２の内部電極７３は、引き出し導体１８３を介して第２の端子電極５ｃに電気的に接続されている。第２の内部電極８０は、引き出し導体１８４を介して第２の端子電極５ｄに電気的に接続されている。第２の内部電極８１は、引き出し導体１８５を介して第２の端子電極５ｅに電気的に接続されている。第２の内部電極８２は、引き出し導体１８６を介して第２の端子電極５ｆに電気的に接続されている。これにより、第２の内部電極７４〜７９も、第２の端子電極５ａ〜５ｆに電気的に接続されることとなり、第２の内部電極７１〜８２は並列接続されることとなる。
【０１８３】
引き出し導体１８１は、第２の内部電極７１と一体に形成されており、積層体１の側面１ｃに臨むように、第２の内部電極７１から伸びている。各引き出し導体１８２，１８３は、対応する第２の内部電極７２，７３と一体に形成されており、積層体１の側面１ａに臨むように、各第２の内部電極７２，７３から伸びている。引き出し導体１８４は、第２の内部電極８０と一体に形成されており、積層体１の側面１ｄに臨むように、第２の内部電極８０から伸びている。各引き出し導体１８５，１８６は、対応する第２の内部電極８１，８２と一体に形成されており、積層体１の側面１ｂに臨むように、各第２の内部電極８１，８２から伸びている。
【０１８４】
第１１実施形態に係る積層コンデンサＣ３では、引き出し導体１７１〜１７６を介して第１の端子電極３ａ〜３ｆに直接接続される第１の内部電極５１〜５３，６０〜６２の数を６つとし、第１の内部電極５１〜６２の総数（本実施形態では、１２）よりも少なくされている。また、引き出し導体１８１〜１８６を介して第２の端子電極５ａ〜５ｆに直接接続される第２の内部電極７１〜７３，８０〜８２の数を３つとし、第２の内部電極７１〜８２の総数（本実施形態では、１２）よりも少なくされている。これらにより、積層コンデンサＣ３は、すべての内部電極が対応する端子電極に引き出し導体を介して接続されている従来の積層コンデンサに比して、等価直列抵抗が大きくなる。
【０１８５】
以上のように、本実施形態によれば、引き出し導体１７１〜１７６を介して第１の端子電極３ａ〜３ｆに直接接続される第１の内部電極５１〜５３，６０〜６２の数と引き出し導体１８１〜１８６を介して第２の端子電極５ａ〜５ｆに直接接続される第２の内部電極７１〜７３，８０〜８２の数とをそれぞれ調整することにより、積層コンデンサＣ３の等価直列抵抗が所望の値に設定されるので、等価直列抵抗の制御を容易に且つ精度良く行うことができる。
【０１８６】
（第１２実施形態）
図１５及び図１６を参照して、第１２実施形態に係る積層コンデンサＣ４の構成について説明する。図１５は、第１２実施形態に係る積層コンデンサを示す斜視図である。図１６は、第１２実施形態に係る積層コンデンサに含まれる積層体の分解斜視図である。
【０１８７】
第１２実施形態に係る積層コンデンサＣ４は、図１５に示されるように、積層体２０１と、当該積層体２０１に形成された第１の端子電極３ａ〜３ｄと、同じく積層体２０１に形成された第２の端子電極５ａ〜５ｄとを備えている。各第１の端子電極３ａ，３ｂと各第２の端子電極５ａ，５ｂとは、積層体２０１の側面２０１ａ側に位置している。各第１の端子電極３ｃ，３ｄと各第２の端子電極５ｃ，５ｄとは、積層体２０１の側面２０１ｂ側に位置している。
【０１８８】
積層体２０１は、図１６に示されるように、第１〜第３のコンデンサ部２１１，２２１，２３１を含んでいる。第１のコンデンサ部２１１は、第２のコンデンサ部２２１と第３のコンデンサ部２３１との間に位置している。
【０１８９】
まず、第１のコンデンサ部２１１の構成について説明する。第１のコンデンサ部２１１は、第１実施形態に係る積層コンデンサＣ１における積層体１と、誘電体層３５の点を除いて同じ構成を有している。すなわち、第１のコンデンサ部２１１は、複数（本実施形態では、２５層）の誘電体層１１〜３５と、複数（本実施形態では、各１２層）の第１及び第２の内部電極５１〜６２，７１〜８２とが交互に積層されることにより構成される。第１のコンデンサ部２１１では、１２の第１の内部電極５１〜６２のうち４つの第１の内部電極５１〜５４が、引き出し導体１７１〜１７４を介して対応する第１の端子電極３ａ〜３ｄに電気的に接続されている。また、１２の第２の内部電極７１〜８２のうち４つの第２の内部電極７１〜７４が、引き出し導体１８１〜１８４を介して対応する第２の端子電極５ａ〜５ｄに電気的に接続されている。
【０１９０】
次に、第２のコンデンサ部２２１の構成について説明する。第２のコンデンサ部２２１は、複数（本実施形態では、５層）の誘電体層２２３と、複数（本実施形態では、各２層）の第１及び第２の内部電極２２５，２２７とが交互に積層されることにより構成される。各第１の内部電極２２５は、引き出し導体２２６を介して第１の端子電極３ａ，３ｂに電気的に接続されている。引き出し導体２２６は、各第１の内部電極２２５と一体に形成されており、積層体２０１の側面２０１ａに臨むように、第１の内部電極２２５からそれぞれ伸びている。各第２の内部電極２２７は、引き出し導体２２８を介して第２の端子電極５ａ，５ｂに電気的に接続されている。引き出し導体２２８は、各第２の内部電極２２７と一体に形成されており、積層体２０１の側面２０１ａに臨むように、第２の内部電極２２７からそれぞれ伸びている。
【０１９１】
次に、第３のコンデンサ部２３１の構成について説明する。第３のコンデンサ部２３１は、複数（本実施形態では、４層）の誘電体層２３３と、複数（本実施形態では、各２層）の第１及び第２の内部電極２３５，２３７とが交互に積層されることにより構成される。各第１の内部電極２３５は、引き出し導体２３６を介して第１の端子電極３ｃ，３ｄに電気的に接続されている。引き出し導体２３６は、各第１の内部電極２３５と一体に形成されており、積層体２０１の側面２０１ｂに臨むように、第１の内部電極２３５からそれぞれ伸びている。各第２の内部電極２３７は、引き出し導体２３８を介して第２の端子電極５ｃ，５ｄに電気的に接続されている。引き出し導体２３８は、各第２の内部電極２３７と一体に形成されており、積層体２０１の側面２０１ｂに臨むように、第２の内部電極２３７からそれぞれ伸びている。
【０１９２】
実際の積層コンデンサＣ４では、誘電体層１１〜３５，２２３，２３３の間の境界が視認できない程度に一体化されている。第１のコンデンサ部２１１の内部電極５１は、端子電極３ａを通して第２のコンデンサ部２２１の第１の内部電極２２５と電気的に接続される。第１のコンデンサ部２１１の第１の内部電極５２は、端子電極３ｂを通して第２のコンデンサ部２２１の第１の内部電極２２５と電気的に接続される。第１のコンデンサ部２１１の第１の内部電極５３は、端子電極３ｃを通して第３のコンデンサ部２３１の第１の内部電極２３５と電気的に接続される。第１のコンデンサ部２１１の第１の内部電極５４は、端子電極３ｄを通して第３のコンデンサ部２３１の第１の内部電極２３５と電気的に接続される。第１のコンデンサ部２１１の第２の内部電極７１は、端子電極５ａを通して第２のコンデンサ部２２１の第２の内部電極２２７と電気的に接続される。第１のコンデンサ部２１１の第２の内部電極７２は、端子電極５ｂを通して第２のコンデンサ部２２１の第２の内部電極２２７と電気的に接続される。第１のコンデンサ部２１１の第２の内部電極７３は、端子電極５ｃを通して第３のコンデンサ部２３１の第２の内部電極２３７と電気的に接続される。第１のコンデンサ部２１１の第２の内部電極７４は、端子電極５ｄを通して第３のコンデンサ部２３１の第２の内部電極２３７と電気的に接続される。
【０１９３】
以上のように、本実施形態では、第１のコンデンサ部２１１を有することにより、第１実施形態において記載したように、積層コンデンサＣ４の等価直列抵抗が所望の値に設定されるので、等価直列抵抗の制御を容易に且つ精度良く行うことができる。
【０１９４】
（第１３実施形態）
図１７を参照して、第１３実施形態に係る積層コンデンサの構成について説明する。第１３実施形態に係る積層コンデンサは、第１のコンデンサ部２１１の構成の点で第１２実施形態に係る積層コンデンサＣ４と相違する。図１７は、第１３実施形態に係る積層コンデンサに含まれる積層体の分解斜視図である。
【０１９５】
第１３実施形態に係る積層コンデンサは、図示は省略するが、第１２実施形態に係る積層コンデンサＣ４と同じく、積層体２０１と、当該積層体２０１に形成された第１の端子電極３ａ〜３ｄと、同じく積層体２０１に形成された第２の端子電極５ａ〜５ｄとを備えている。
【０１９６】
第１のコンデンサ部６１は、第２実施形態に係る積層コンデンサにおける積層体１と、誘電体層３５の点を除いて同じ構成を有している。すなわち、第１のコンデンサ部２１１は、複数（本実施形態では、２５層）の誘電体層１１〜３５と、複数（本実施形態では、各１２層）の第１及び第２の内部電極５１〜６２，７１〜８２とが交互に積層されることにより構成される。第１のコンデンサ部２１１では、１２の第１の内部電極５１〜６２のうち４つの第１の内部電極５１，５２，６１，６２が、引き出し導体１７１〜１７４を介して対応する第１の端子電極３ａ〜３ｄに電気的に接続されている。また、１２の第２の内部電極７１〜８２のうち４つの第２の内部電極７１，７２，８１，８２が、引き出し導体１８１〜１８４を介して対応する第２の端子電極５ａ〜５ｄに電気的に接続されている。
【０１９７】
以上のように、本実施形態では、第１のコンデンサ部２１１を有することにより、第２実施形態において記載したように、積層コンデンサの等価直列抵抗が所望の値に設定されるので、等価直列抵抗の制御を容易に且つ精度良く行うことができる。
【０１９８】
（第１４実施形態）
図１８を参照して、第１４実施形態に係る積層コンデンサの構成について説明する。第１４実施形態に係る積層コンデンサは、第１のコンデンサ部２１１の構成の点で第１２実施形態に係る積層コンデンサＣ４と相違する。図１８は、第１４実施形態に係る積層コンデンサに含まれる積層体の分解斜視図である。
【０１９９】
第１４実施形態に係る積層コンデンサは、図示は省略するが、第１２実施形態に係る積層コンデンサＣ４と同じく、積層体２０１と、当該積層体２０１に形成された第１の端子電極３ａ〜３ｄと、同じく積層体２０１に形成された第２の端子電極５ａ〜５ｄとを備えている。
【０２００】
第１のコンデンサ部６１は、第５実施形態に係る積層コンデンサにおける積層体１と、誘電体層３５の点を除いて同じ構成を有している。すなわち、第１のコンデンサ部２１１は、複数（本実施形態では、２５層）の誘電体層１１〜３５と、複数（本実施形態では、各１２層）の第１及び第２の内部電極５１〜６２，７１〜８２とが交互に積層されることにより構成される。第１のコンデンサ部２１１では、１２の第１の内部電極５１〜６２のうち８つの第１の内部電極５１〜５４，５９〜６２が、引き出し導体１７１〜１７４を介して対応する第１の端子電極３ａ〜３ｄに電気的に接続されている。また、１２の第２の内部電極７１〜８２のうち８つの第２の内部電極７１〜７４，７９〜８２が、引き出し導体１８１〜１８４を介して対応する第２の端子電極５ａ〜５ｄに電気的に接続されている。
【０２０１】
以上のように、本実施形態では、第１のコンデンサ部２１１を有することにより、第５実施形態において記載したように、積層コンデンサの等価直列抵抗が所望の値に設定されるので、等価直列抵抗の制御を容易に且つ精度良く行うことができる。
【０２０２】
（第１５実施形態）
図１９を参照して、第１５実施形態に係る積層コンデンサの構成について説明する。第１５実施形態に係る積層コンデンサは、第１のコンデンサ部２１１の構成の点で第１２実施形態に係る積層コンデンサＣ４と相違する。図１９は、第１５実施形態に係る積層コンデンサに含まれる積層体の分解斜視図である。
【０２０３】
第１５実施形態に係る積層コンデンサは、図示は省略するが、第１２実施形態に係る積層コンデンサＣ４と同じく、積層体２０１と、当該積層体２０１に形成された第１の端子電極３ａ〜３ｄと、同じく積層体２０１に形成された第２の端子電極５ａ〜５ｄとを備えている。
【０２０４】
第１のコンデンサ部６１は、第６実施形態に係る積層コンデンサにおける積層体１と、誘電体層３５の点を除いて同じ構成を有している。すなわち、第１のコンデンサ部２１１は、複数（本実施形態では、２５層）の誘電体層１１〜３５と、複数（本実施形態では、各１２層）の第１及び第２の内部電極５１〜６２，７１〜８２とが交互に積層されることにより構成される。第１のコンデンサ部２１１では、１２の第１の内部電極５１〜６２のうち８つの第１の内部電極５３〜６０が、引き出し導体１７１〜１７４を介して対応する第１の端子電極３ａ〜３ｄに電気的に接続されている。また、１２の第２の内部電極７１〜８２のうち８つの第２の内部電極７３〜８３が、引き出し導体１８１〜１８４を介して対応する第２の端子電極５ａ〜５ｄに電気的に接続されている。
【０２０５】
以上のように、本実施形態では、第１のコンデンサ部２１１を有することにより、第６実施形態において記載したように、積層コンデンサの等価直列抵抗が所望の値に設定されるので、等価直列抵抗の制御を容易に且つ精度良く行うことができる。
【０２０６】
第１のコンデンサ部２１１の構成として、第３、第４及び第７〜第１１実施形態に係る積層コンデンサの積層体１と同じ構成（但し、誘電体層３５，４９を除く）を採用してもよい。
【０２０７】
（第１６実施形態）
図２０を参照して、第１６実施形態に係る積層コンデンサの構成について説明する。第１６実施形態に係る積層コンデンサは、積層体１の構成の点で第１実施形態に係る積層コンデンサＣ１と相違する。図２０は、第１６実施形態に係る積層コンデンサに含まれる積層体の分解斜視図である。
【０２０８】
第１６実施形態に係る積層コンデンサは、図示は省略するが、第１実施形態に係る積層コンデンサＣ１と同じく、積層体１と、当該積層体１に形成された第１の端子電極３ａ〜３ｄと、同じく積層体１に形成された第２の端子電極５ａ〜５ｄとを備えている。
【０２０９】
積層体１は、図２０にも示されるように、複数（本実施形態では、１１層）の誘電体層１１〜２０，３５と、複数（本実施形態では、各５層）の第１及び第１の内部電極５１〜５５，７１〜７５とが交互に積層されることにより構成される。実際の積層コンデンサでは、誘電体層１１〜２０，３５の間の境界が視認できない程度に一体化されている。
【０２１０】
第１の内部電極５１，５５は、引き出し導体１７１〜１７４を介して第１の端子電極３ａ〜３ｄに電気的に接続されている。これにより、第１の内部電極５２〜５４も第１の端子電極３ａ〜３ｄに電気的に接続されることとなり、第１の内部電極５１〜５５は並列接続されることとなる。各引き出し導体１７１，１７２は、第１の内部電極５１，５５と一体に形成されており、積層体１の側面１ａに臨むように、各第１の内部電極５１，５５から伸びている。各引き出し導体１７３，１７４も、第１の内部電極５１，５５と一体に形成されており、積層体１の側面１ｂに臨むように、各第１の内部電極５１，５５から伸びている。
【０２１１】
第２の内部電極７１，７５は、引き出し導体１８１〜１８４を介して第２の端子電極５ａ〜５ｄに電気的に接続されている。これにより、第２の内部電極７２〜７４も第２の端子電極５ａ〜５ｄに電気的に接続されることとなり、第２の内部電極７１〜７５は並列接続されることとなる。各引き出し導体１８１，１８２は、第２の内部電極７１，７５と一体に形成されており、積層体１の側面１ａに臨むように、各第２の内部電極７１，７５から伸びている。各引き出し導体１８３，１８４も、第２の内部電極７１，７５と一体に形成されており、積層体１の側面１ｂに臨むように、各第２の内部電極７１，７５から伸びている。
【０２１２】
第１６実施形態に係る積層コンデンサでは、引き出し導体１７１〜１７４を介して第１の端子電極３ａ〜３ｄに直接接続される第１の内部電極５１，５５の数を２つとし、第１の内部電極５１〜５５の総数（本実施形態では、５つ）よりも少なくされている。また、引き出し導体１８１〜１８４を介して第２の端子電極５ａ〜５ｄに直接接続される第２の内部電極７１，７５の数を２つとし、第２の内部電極７１〜７５の総数（本実施形態では、５つ）よりも少なくされている。これにより、第１６実施形態に係る積層コンデンサは、すべての内部電極が対応する端子電極に引き出し導体を介して接続されている従来の積層コンデンサに比して、等価直列抵抗が大きくなる。
【０２１３】
以上のように、本実施形態によれば、引き出し導体１７１〜１７４を介して第１の端子電極３ａ〜３ｄに電気的に接続される第１の内部電極５１，５５の数と引き出し導体１８１〜１８４を介して第２の端子電極５ａ〜５ｄに電気的に接続される第２の内部電極７１，７５の数とをそれぞれ調整することにより、積層コンデンサの等価直列抵抗が所望の値に設定されるので、等価直列抵抗の制御を容易に且つ精度良く行うことができる。
【０２１４】
また、本実施形態において、第１の内部電極５１〜５５同士は、並列接続されており、第２の内部電極７１〜７５同士は、並列接続されている。これにより、各第１の内部電極５１〜５５や各第２の内部電極７１〜７５の抵抗値にバラツキが生じても、積層コンデンサ全体での等価直列抵抗への影響が少なく、等価直列抵抗の制御の精度低下を抑制することができる。
【０２１５】
（第１７実施形態）
図２１を参照して、第１７実施形態に係る積層コンデンサの構成について説明する。第１７実施形態に係る積層コンデンサは、引き出し導体１７１〜１７４を介して第１の端子電極３ａ〜３ｄに電気的に接続される第１の内部電極の積層方向で位置と、引き出し導体１８１〜１８４を介して第２の端子電極５ａ〜５ｄに電気的に接続される第２の内部電極の積層方向で位置との点で第１６実施形態に係る積層コンデンサと相違する。図２１は、第１７実施形態に係る積層コンデンサに含まれる積層体の分解斜視図である。
【０２１６】
第１７実施形態に係る積層コンデンサは、図示は省略するが、第１実施形態に係る積層コンデンサＣ１と同じく、積層体１と、当該積層体１に形成された第１の端子電極３ａ〜３ｄと、同じく積層体１に形成された第２の端子電極５ａ〜５ｄとを備えている。
【０２１７】
第１の内部電極５２は、引き出し導体１７１〜１７４を介して第１の端子電極３ａ〜３ｄに電気的に接続されている。これにより、第１の内部電極５３〜５５も第１の端子電極３ａ〜３ｄに電気的に接続されることとなり、第１の内部電極５１〜５５は並列接続されることとなる。各引き出し導体１７１，１７２は、第１の内部電極５２と一体に形成されており、積層体１の側面１ａに臨むように、第１の内部電極５２から伸びている。各引き出し導体１７３，１７４も、第１の内部電極５２と一体に形成されており、積層体１の側面１ｂに臨むように、第１の内部電極５２から伸びている。
【０２１８】
第２の内部電極７２は、引き出し導体１８１〜１８４を介して第２の端子電極５ａ〜５ｄに電気的に接続されている。これにより、第２の内部電極７３〜７５も第２の端子電極５ａ〜５ｄに電気的に接続されることとなり、第２の内部電極７１〜７５は並列接続されることとなる。各引き出し導体１８１，１８２は、第２の内部電極７２と一体に形成されており、積層体１の側面１ａに臨むように、第２の内部電極７２から伸びている。各引き出し導体１８３，１８４も、第２の内部電極７２と一体に形成されており、積層体１の側面１ｂに臨むように、第２の内部電極７２から伸びている。
【０２１９】
第１７実施形態に係る積層コンデンサでは、引き出し導体１７１〜１７４を介して第１の端子電極３ａ〜３ｄに直接接続される第１の内部電極５１，５２の数を２つとし、第１の内部電極５１〜５５の総数（本実施形態では、５つ）よりも少なくされている。また、引き出し導体１８１〜１８４を介して第２の端子電極５ａ〜５ｄに直接接続される第２の内部電極７１，７２の数を２つとし、第２の内部電極７１〜７５の総数（本実施形態では、５つ）よりも少なくされている。これにより、第１７実施形態に係る積層コンデンサは、すべての内部電極が対応する端子電極に引き出し導体を介して接続されている従来の積層コンデンサに比して、等価直列抵抗が大きくなる。
【０２２０】
以上のように、本実施形態によれば、引き出し導体１７１〜１７４を介して第１の端子電極３ａ〜３ｄに電気的に接続される第１の内部電極５１，５２の数と引き出し導体１８１〜１８４を介して第２の端子電極５ａ〜５ｄに電気的に接続される第２の内部電極７１，７２の数とをそれぞれ調整することにより、積層コンデンサの等価直列抵抗が所望の値に設定されるので、等価直列抵抗の制御を容易に且つ精度良く行うことができる。
【０２２１】
（第１８実施形態）
図２２を参照して、第１８実施形態に係る積層コンデンサの構成について説明する。第１８実施形態に係る積層コンデンサは、引き出し導体１７１〜１７４を介して第１の端子電極３ａ〜３ｄに電気的に接続される第１の内部電極の積層方向で位置と、引き出し導体１８１〜１８４を介して第２の端子電極５ａ〜５ｄに電気的に接続される第２の内部電極の積層方向で位置との点で第１６実施形態に係る積層コンデンサと相違する。図２２は、第１８実施形態に係る積層コンデンサに含まれる積層体の分解斜視図である。
【０２２２】
第１８実施形態に係る積層コンデンサは、図示は省略するが、第１実施形態に係る積層コンデンサＣ１と同じく、積層体１と、当該積層体１に形成された第１の端子電極３ａ〜３ｄと、同じく積層体１に形成された第２の端子電極５ａ〜５ｄとを備えている。
【０２２３】
第１の内部電極５３，５４は、引き出し導体１７１〜１７４を介して第１の端子電極３ａ〜３ｄに電気的に接続されている。これにより、第１の内部電極５１，５２，５５も第１の端子電極３ａ〜３ｄに電気的に接続されることとなり、第１の内部電極５１〜５５は並列接続されることとなる。各引き出し導体１７１，１７２は、第１の内部電極５３，５４と一体に形成されており、積層体１の側面１ａに臨むように、各第１の内部電極５３，５４から伸びている。各引き出し導体１７３，１７４も、第１の内部電極５３，５４と一体に形成されており、積層体１の側面１ｂに臨むように、各第１の内部電極５３，５４から伸びている。
【０２２４】
第２の内部電極７３，７４は、引き出し導体１８１〜１８４を介して第２の端子電極５ａ〜５ｄに電気的に接続されている。これにより、第２の内部電極７１，７２，７５も第２の端子電極５ａ〜５ｄに電気的に接続されることとなり、第２の内部電極７１〜７５は並列接続されることとなる。各引き出し導体１８１，１８２は、第２の内部電極７３，７４と一体に形成されており、積層体１の側面１ａに臨むように、各第２の内部電極７３，７４から伸びている。各引き出し導体１８３，１８４も、第２の内部電極７３，７４と一体に形成されており、積層体１の側面１ｂに臨むように、各第２の内部電極７３，７４から伸びている。
【０２２５】
第１８実施形態に係る積層コンデンサでは、引き出し導体１７１〜１７４を介して第１の端子電極３ａ〜３ｄに直接接続される第１の内部電極５３，５４の数を２つとし、第１の内部電極５１〜５５の総数（本実施形態では、５つ）よりも少なくされている。また、引き出し導体１８１〜１８４を介して第２の端子電極５ａ〜５ｄに直接接続される第２の内部電極７３，７４の数を２つとし、第２の内部電極７１〜７５の総数（本実施形態では、５つ）よりも少なくされている。これにより、第１７実施形態に係る積層コンデンサは、すべての内部電極が対応する端子電極に引き出し導体を介して接続されている従来の積層コンデンサに比して、等価直列抵抗が大きくなる。
【０２２６】
以上のように、本実施形態によれば、引き出し導体１７１〜１７４を介して第１の端子電極３ａ〜３ｄに電気的に接続される第１の内部電極５３，５４の数と引き出し導体１８１〜１８４を介して第２の端子電極５ａ〜５ｄに電気的に接続される第２の内部電極７３，７４の数とをそれぞれ調整することにより、積層コンデンサの等価直列抵抗が所望の値に設定されるので、等価直列抵抗の制御を容易に且つ精度良く行うことができる。
【０２２７】
（第１９実施形態）
図２３を参照して、第１９実施形態に係る積層コンデンサの構成について説明する。第１９実施形態に係る積層コンデンサは、引き出し導体１８１〜１８４を介して第２の端子電極５ａ〜５ｄに電気的に接続される第２の内部電極の積層方向で位置の点で第１６実施形態に係る積層コンデンサと相違する。図２３は、第１９実施形態に係る積層コンデンサに含まれる積層体の分解斜視図である。
【０２２８】
第１９実施形態に係る積層コンデンサは、図示は省略するが、第１実施形態に係る積層コンデンサＣ１と同じく、積層体１と、当該積層体１に形成された第１の端子電極３ａ〜３ｄと、同じく積層体１に形成された第２の端子電極５ａ〜５ｄとを備えている。
【０２２９】
第２の内部電極７２は、引き出し導体１８１〜１８４を介して第２の端子電極５ａ〜５ｄに電気的に接続されている。これにより、第２の内部電極７１，７３，７４も第２の端子電極５ａ〜５ｄに電気的に接続されることとなり、第２の内部電極７１〜７５は並列接続されることとなる。各引き出し導体１８１，１８２は、第２の内部電極７２と一体に形成されており、積層体１の側面１ａに臨むように、第２の内部電極７２から伸びている。各引き出し導体１８３，１８４も、第２の内部電極７２と一体に形成されており、積層体１の側面１ｂに臨むように、第２の内部電極７２から伸びている。
【０２３０】
第１９実施形態に係る積層コンデンサでは、引き出し導体１７１〜１７４を介して第１の端子電極３ａ〜３ｄに直接接続される第１の内部電極５１，５５の数を２つとし、第１の内部電極５１〜５５の総数（本実施形態では、５つ）よりも少なくされている。また、引き出し導体１８１〜１８４を介して第２の端子電極５ａ〜５ｄに直接接続される第２の内部電極７２，７５の数を２つとし、第２の内部電極７１〜７５の総数（本実施形態では、５つ）よりも少なくされている。これにより、第１７実施形態に係る積層コンデンサは、すべての内部電極が対応する端子電極に引き出し導体を介して接続されている従来の積層コンデンサに比して、等価直列抵抗が大きくなる。
【０２３１】
以上のように、本実施形態によれば、引き出し導体１７１〜１７４を介して第１の端子電極３ａ〜３ｄに電気的に接続される第１の内部電極５１，５５の数と引き出し導体１８１〜１８４を介して第２の端子電極５ａ〜５ｄに電気的に接続される第２の内部電極７２，７５の数とをそれぞれ調整することにより、積層コンデンサの等価直列抵抗が所望の値に設定されるので、等価直列抵抗の制御を容易に且つ精度良く行うことができる。
【０２３２】
（第２０実施形態）
図２４を参照して、第２０実施形態に係る積層コンデンサの構成について説明する。第２０実施形態に係る積層コンデンサは、引き出し導体１７１〜１７４を介して第１の端子電極３ａ〜３ｄに電気的に接続される第１の内部電極の数と、引き出し導体１８１〜１８４を介して第２の端子電極５ａ〜５ｄに電気的に接続される第２の内部電極の数との点で第１６実施形態に係る積層コンデンサと相違する。図２４は、第２０実施形態に係る積層コンデンサに含まれる積層体の分解斜視図である。
【０２３３】
第２０実施形態に係る積層コンデンサは、図示は省略するが、第１実施形態に係る積層コンデンサＣ１と同じく、積層体１と、当該積層体１に形成された第１の端子電極３ａ〜３ｄと、同じく積層体１に形成された第２の端子電極５ａ〜５ｄとを備えている。
【０２３４】
第２０実施形態に係る積層コンデンサでは、引き出し導体１７１〜１７４を介して第１の端子電極３ａ〜３ｄに直接接続される第１の内部電極５１の数を１つとし、第１の内部電極５１〜５５の総数（本実施形態では、５つ）よりも少なくされている。また、引き出し導体１８１〜１８４を介して第２の端子電極５ａ〜５ｄに直接接続される第２の内部電極７５の数を１つとし、第２の内部電極７１〜７５の総数（本実施形態では、５つ）よりも少なくされている。これにより、第２０実施形態に係る積層コンデンサは、すべての内部電極が対応する端子電極に引き出し導体を介して接続されている従来の積層コンデンサに比して、等価直列抵抗が大きくなる。
【０２３５】
以上のように、本実施形態によれば、引き出し導体１７１〜１７４を介して第１の端子電極３ａ〜３ｄに電気的に接続される第１の内部電極５１の数と引き出し導体１８１〜１８４を介して第２の端子電極５ａ〜５ｄに電気的に接続される第２の内部電極７５の数とをそれぞれ調整することにより、積層コンデンサの等価直列抵抗が所望の値に設定されるので、等価直列抵抗の制御を容易に且つ精度良く行うことができる。
【０２３６】
（第２１実施形態）
図２５を参照して、第２１実施形態に係る積層コンデンサの構成について説明する。第２１実施形態に係る積層コンデンサは、引き出し導体１７１〜１７４を介して第１の端子電極３ａ〜３ｄに電気的に接続される第１の内部電極の数及び積層方向の位置と、引き出し導体１８１〜１８４を介して第２の端子電極５ａ〜５ｄに電気的に接続される第２の内部電極の数及び積層方向の位置との点で第１６実施形態に係る積層コンデンサと相違する。図２５は、第２１実施形態に係る積層コンデンサに含まれる積層体の分解斜視図である。
【０２３７】
第２１実施形態に係る積層コンデンサは、図示は省略するが、第１実施形態に係る積層コンデンサＣ１と同じく、積層体１と、当該積層体１に形成された第１の端子電極３ａ〜３ｄと、同じく積層体１に形成された第２の端子電極５ａ〜５ｄとを備えている。
【０２３８】
第２１実施形態に係る積層コンデンサでは、引き出し導体１７１〜１７４を介して第１の端子電極３ａ〜３ｄに直接接続される第１の内部電極５４の数を１つとし、第１の内部電極５１〜５５の総数（本実施形態では、５つ）よりも少なくされている。また、引き出し導体１８１〜１８４を介して第２の端子電極５ａ〜５ｄに直接接続される第２の内部電極７２の数を１つとし、第２の内部電極７１〜７５の総数（本実施形態では、５つ）よりも少なくされている。これにより、第２１実施形態に係る積層コンデンサは、すべての内部電極が対応する端子電極に引き出し導体を介して接続されている従来の積層コンデンサに比して、等価直列抵抗が大きくなる。
【０２３９】
以上のように、本実施形態によれば、引き出し導体１７１〜１７４を介して第１の端子電極３ａ〜３ｄに電気的に接続される第１の内部電極５４の数と引き出し導体１８１〜１８４を介して第２の端子電極５ａ〜５ｄに電気的に接続される第２の内部電極７２の数とをそれぞれ調整することにより、積層コンデンサの等価直列抵抗が所望の値に設定されるので、等価直列抵抗の制御を容易に且つ精度良く行うことができる。
【０２４０】
（第２２実施形態）
図２６を参照して、第２２実施形態に係る積層コンデンサの構成について説明する。第２２実施形態に係る積層コンデンサは、積層体１の構成の点で第１０実施形態に係る積層コンデンサＣ２と相違する。図２６は、第２２実施形態に係る積層コンデンサに含まれる積層体の分解斜視図である。
【０２４１】
第２２実施形態に係る積層コンデンサは、図示は省略するが、第１０実施形態に係る積層コンデンサＣ２と同じく、積層体１と、当該積層体１に形成された第１の端子電極３ａ〜３ｅと、同じく積層体１に形成された第２の端子電極５ａ〜５ｅとを備えている。
【０２４２】
積層体１は、図２６にも示されるように、複数（本実施形態では、１１層）の誘電体層１１〜２０，３５と、複数（本実施形態では、各５層）の第１及び第１の内部電極５１〜５５，７１〜７５とが交互に積層されることにより構成される。実際の積層コンデンサでは、誘電体層１１〜２０，３５の間の境界が視認できない程度に一体化されている。
【０２４３】
第１の内部電極５１，５５は、引き出し導体１７１〜１７５を介して第１の端子電極３ａ〜３ｅに電気的に接続されている。これにより、第１の内部電極５２〜５４も第１の端子電極３ａ〜３ｅに電気的に接続されることとなり、第１の内部電極５１〜５５は並列接続されることとなる。引き出し導体１７１は、第１の内部電極５１，５５と一体に形成されており、積層体１の側面１ｃに臨むように、各第１の内部電極５１，５５から伸びている。各引き出し導体１７２，１７３は、第１の内部電極５１，５５と一体に形成されており、積層体１の側面１ａに臨むように、各第１の内部電極５１，５５から伸びている。各引き出し導体１７４，１７５も、第１の内部電極５１，５５と一体に形成されており、積層体１の側面１ｂに臨むように、各第１の内部電極５１，５５から伸びている。
【０２４４】
第２の内部電極７１，７５は、引き出し導体１８１〜１８５を介して第２の端子電極５ａ〜５ｅに電気的に接続されている。これにより、第２の内部電極７２〜７４も第２の端子電極５ａ〜５ｅに電気的に接続されることとなり、第２の内部電極７１〜７５は並列接続されることとなる。各引き出し導体１８１，１８２は、第２の内部電極７１，７５と一体に形成されており、積層体１の側面１ａに臨むように、各第２の内部電極７１，７５から伸びている。引き出し導体１８３も、第２の内部電極７１，７５と一体に形成されており、積層体１の側面１ｄに臨むように、各第２の内部電極７１，７５から伸びている。各引き出し導体１８４，１８５も、第２の内部電極７１，７５と一体に形成されており、積層体１の側面１ｂに臨むように、各第２の内部電極７１，７５から伸びている。
【０２４５】
第２２実施形態に係る積層コンデンサでは、引き出し導体１７１〜１７５を介して第１の端子電極３ａ〜３ｅに直接接続される第１の内部電極５１，５５の数を２つとし、第１の内部電極５１〜５５の総数（本実施形態では、５つ）よりも少なくされている。また、引き出し導体１８１〜１８５を介して第２の端子電極５ａ〜５ｅに直接接続される第２の内部電極７１，７５の数を２つとし、第２の内部電極７１〜７５の総数（本実施形態では、５つ）よりも少なくされている。これにより、第２２実施形態に係る積層コンデンサは、すべての内部電極が対応する端子電極に引き出し導体を介して接続されている従来の積層コンデンサに比して、等価直列抵抗が大きくなる。
【０２４６】
以上のように、本実施形態によれば、引き出し導体１７１〜１７５を介して第１の端子電極３ａ〜３ｅに電気的に接続される第１の内部電極５１，５５の数と引き出し導体１８１〜１８５を介して第２の端子電極５ａ〜５ｅに電気的に接続される第２の内部電極７１，７５の数とをそれぞれ調整することにより、積層コンデンサの等価直列抵抗が所望の値に設定されるので、等価直列抵抗の制御を容易に且つ精度良く行うことができる。
【０２４７】
（第２３実施形態）
図２７を参照して、第２３実施形態に係る積層コンデンサの構成について説明する。第２３実施形態に係る積層コンデンサは、引き出し導体１７１〜１７５を介して第１の端子電極３ａ〜３ｅに電気的に接続される第１の内部電極の積層方向で位置と、引き出し導体１８１〜１８５を介して第２の端子電極５ａ〜５ｅに電気的に接続される第２の内部電極の積層方向で位置との点で第２２実施形態に係る積層コンデンサと相違する。図２７は、第２３実施形態に係る積層コンデンサに含まれる積層体の分解斜視図である。
【０２４８】
第２３実施形態に係る積層コンデンサは、図示は省略するが、第１０実施形態に係る積層コンデンサＣ２と同じく、積層体１と、当該積層体１に形成された第１の端子電極３ａ〜３ｅと、同じく積層体１に形成された第２の端子電極５ａ〜５ｅとを備えている。
【０２４９】
第１の内部電極５２は、引き出し導体１７１〜１７５を介して第１の端子電極３ａ〜３ｅに電気的に接続されている。これにより、第１の内部電極５３〜５５も第１の端子電極３ａ〜３ｅに電気的に接続されることとなり、第１の内部電極５１〜５５は並列接続されることとなる。引き出し導体１７１は、第１の内部電極５２と一体に形成されており、積層体１の側面１ｃに臨むように、第１の内部電極５２から伸びている。各引き出し導体１７２，１７３は、第１の内部電極５２と一体に形成されており、積層体１の側面１ａに臨むように、第１の内部電極５２から伸びている。各引き出し導体１７４，１７５も、第１の内部電極５２と一体に形成されており、積層体１の側面１ｂに臨むように、第１の内部電極５２から伸びている。
【０２５０】
第２の内部電極７２は、引き出し導体１８１〜１８５を介して第２の端子電極５ａ〜５ｅに電気的に接続されている。これにより、第２の内部電極７３〜７５も第２の端子電極５ａ〜５ｅに電気的に接続されることとなり、第２の内部電極７１〜７５は並列接続されることとなる。各引き出し導体１８１，１８２は、第２の内部電極７２と一体に形成されており、積層体１の側面１ａに臨むように、第２の内部電極７２から伸びている。引き出し導体１８３も、第２の内部電極７２と一体に形成されており、積層体１の側面１ｄに臨むように、第２の内部電極７２から伸びている。各引き出し導体１８４，１８５も、第２の内部電極７２と一体に形成されており、積層体１の側面１ｂに臨むように、第２の内部電極７２から伸びている。
【０２５１】
第２３実施形態に係る積層コンデンサでは、引き出し導体１７１〜１７５を介して第１の端子電極３ａ〜３ｅに直接接続される第１の内部電極５１，５２の数を２つとし、第１の内部電極５１〜５５の総数（本実施形態では、５つ）よりも少なくされている。また、引き出し導体１８１〜１８５を介して第２の端子電極５ａ〜５ｅに直接接続される第２の内部電極７１，７２の数を２つとし、第２の内部電極７１〜７５の総数（本実施形態では、５つ）よりも少なくされている。これにより、第２３実施形態に係る積層コンデンサは、すべての内部電極が対応する端子電極に引き出し導体を介して接続されている従来の積層コンデンサに比して、等価直列抵抗が大きくなる。
【０２５２】
以上のように、本実施形態によれば、引き出し導体１７１〜１７５を介して第１の端子電極３ａ〜３ｅに電気的に接続される第１の内部電極５１，５２の数と引き出し導体１８１〜１８５を介して第２の端子電極５ａ〜５ｅに電気的に接続される第２の内部電極７１，７２の数とをそれぞれ調整することにより、積層コンデンサの等価直列抵抗が所望の値に設定されるので、等価直列抵抗の制御を容易に且つ精度良く行うことができる。
【０２５３】
（第２４実施形態）
図２８を参照して、第２４実施形態に係る積層コンデンサの構成について説明する。第２４実施形態に係る積層コンデンサは、引き出し導体１７１〜１７５を介して第１の端子電極３ａ〜３ｅに電気的に接続される第１の内部電極の数及び積層方向で位置と、引き出し導体１８１〜１８５を介して第２の端子電極５ａ〜５ｅに電気的に接続される第２の内部電極の数及び積層方向で位置との点で第２２実施形態に係る積層コンデンサと相違する。図２８は、第２４実施形態に係る積層コンデンサに含まれる積層体の分解斜視図である。
【０２５４】
第２４実施形態に係る積層コンデンサは、図示は省略するが、第１０実施形態に係る積層コンデンサＣ２と同じく、積層体１と、当該積層体１に形成された第１の端子電極３ａ〜３ｅと、同じく積層体１に形成された第２の端子電極５ａ〜５ｅとを備えている。
【０２５５】
第２４実施形態に係る積層コンデンサでは、引き出し導体１７１〜１７５を介して第１の端子電極３ａ〜３ｅに直接接続される第１の内部電極５４の数を１つとし、第１の内部電極５１〜５５の総数（本実施形態では、５つ）よりも少なくされている。また、引き出し導体１８１〜１８５を介して第２の端子電極５ａ〜５ｅに直接接続される第２の内部電極７２の数を１つとし、第２の内部電極７１〜７５の総数（本実施形態では、５つ）よりも少なくされている。これにより、第２４実施形態に係る積層コンデンサは、すべての内部電極が対応する端子電極に引き出し導体を介して接続されている従来の積層コンデンサに比して、等価直列抵抗が大きくなる。
【０２５６】
以上のように、本実施形態によれば、引き出し導体１７１〜１７５を介して第１の端子電極３ａ〜３ｅに電気的に接続される第１の内部電極５４の数と引き出し導体１８１〜１８５を介して第２の端子電極５ａ〜５ｅに電気的に接続される第２の内部電極７２の数とをそれぞれ調整することにより、積層コンデンサの等価直列抵抗が所望の値に設定されるので、等価直列抵抗の制御を容易に且つ精度良く行うことができる。
【０２５７】
（第２５実施形態）
図２９を参照して、第２５実施形態に係る積層コンデンサの構成について説明する。第２５実施形態に係る積層コンデンサは、積層体２０１の構成の点で第１２実施形態に係る積層コンデンサＣ４と相違する。図２９は、第２５実施形態に係る積層コンデンサに含まれる積層体の分解斜視図である。
【０２５８】
第２５実施形態に係る積層コンデンサは、図示は省略するが、第１２実施形態に係る積層コンデンサＣ４と同じく、第１〜第３のコンデンサ部２１１，２２１，２３１を含む積層体２０１と、当該積層体２０１に形成された第１の端子電極３ａ〜３ｄと、同じく積層体２０１に形成された第２の端子電極５ａ〜５ｄとを備えている。
【０２５９】
まず、第１のコンデンサ部２１１の構成について説明する。第１のコンデンサ部２１１は、第１６実施形態に係る積層コンデンサにおける積層体１と、誘電体層３５の点を除いて同じ構成を有している。すなわち、第１のコンデンサ部２１１は、複数（本実施形態では、１１層）の誘電体層１１〜２０，３５と、複数（本実施形態では、各５層）の第１及び第１の内部電極５１〜５５，７１〜７５とが交互に積層されることにより構成される。第１のコンデンサ部２１１では、５つの第１の内部電極５１〜５５のうち２つの第１の内部電極５１，５５が、引き出し導体１７１〜１７４を介して対応する第１の端子電極３ａ〜３ｄに電気的に接続されている。また、５つの第２の内部電極７１〜７５のうち２つの第２の内部電極７１，７５が、引き出し導体１８１〜１８４を介して対応する第２の端子電極５ａ〜５ｄに電気的に接続されている。
【０２６０】
次に、第２のコンデンサ部２２１の構成について説明する。第２のコンデンサ部２２１は、複数（本実施形態では、５層）の誘電体層２２３と、複数（本実施形態では、各２層）の第１及び第２の内部電極２２５，２２７とが交互に積層されることにより構成される。各第１の内部電極２２５は、引き出し導体２２６を介して第１の端子電極３ａ〜３ｄに電気的に接続されている。引き出し導体２２６は、各第１の内部電極２２５と一体に形成されており、積層体２０１の側面２０１ａ，２０１ｂに臨むように、第１の内部電極２２５からそれぞれ伸びている。各第２の内部電極２２７は、引き出し導体２２８を介して第２の端子電極５ａ〜５ｄに電気的に接続されている。引き出し導体２２８は、各第２の内部電極２２７と一体に形成されており、積層体２０１の側面２０１ａ，２０１ｂに臨むように、第２の内部電極２２７からそれぞれ伸びている。
【０２６１】
次に、第３のコンデンサ部２３１の構成について説明する。第３のコンデンサ部２３１は、複数（本実施形態では、４層）の誘電体層２３３と、複数（本実施形態では、各２層）の第１及び第２の内部電極２３５，２３７とが交互に積層されることにより構成される。各第１の内部電極２３５は、引き出し導体２３６を介して第１の端子電極３ａ〜３ｄに電気的に接続されている。引き出し導体２３６は、各第１の内部電極２３５と一体に形成されており、積層体２０１の側面２０１ａ，２０１ｂに臨むように、第１の内部電極２３５からそれぞれ伸びている。各第２の内部電極２３７は、引き出し導体２３８を介して第２の端子電極５ａ〜５ｄに電気的に接続されている。引き出し導体２３８は、各第２の内部電極２３７と一体に形成されており、積層体２０１の側面２０１ａ，２０１ｂに臨むように、第２の内部電極２３７からそれぞれ伸びている。
【０２６２】
第１のコンデンサ部２１１の内部電極５１，５５は、端子電極３ａ〜３ｄを通して第２のコンデンサ部２２１の第１の内部電極２２５及び第３のコンデンサ部２３１の第１の内部電極２３５と電気的に接続される。第１のコンデンサ部２１１の第２の内部電極７１は、端子電極５ａ〜５ｄを通して第２のコンデンサ部２２１の第２の内部電極２２７及び第３のコンデンサ部２３１の第２の内部電極２３７と電気的に接続される。
【０２６３】
以上のように、本実施形態では、第１のコンデンサ部２１１を有することにより、第１６実施形態において記載したように、積層コンデンサの等価直列抵抗が所望の値に設定されるので、等価直列抵抗の制御を容易に且つ精度良く行うことができる。
【０２６４】
（第２６実施形態）
図３０を参照して、第２６実施形態に係る積層コンデンサの構成について説明する。第２６実施形態に係る積層コンデンサは、第１のコンデンサ部２１１の構成の点で第２５実施形態に係る積層コンデンサと相違する。図３０は、第２６実施形態に係る積層コンデンサに含まれる積層体の分解斜視図である。
【０２６５】
第２６実施形態に係る積層コンデンサは、図示は省略するが、第１２実施形態に係る積層コンデンサＣ４と同じく、積層体２０１と、当該積層体２０１に形成された第１の端子電極３ａ〜３ｄと、同じく積層体２０１に形成された第２の端子電極５ａ〜５ｄとを備えている。
【０２６６】
第１のコンデンサ部６１は、第１７実施形態に係る積層コンデンサにおける積層体１と、誘電体層３５の点を除いて同じ構成を有している。すなわち、第１のコンデンサ部２１１は、複数（本実施形態では、１１層）の誘電体層１１〜２０，３５と、複数（本実施形態では、各５層）の第１及び第１の内部電極５１〜５５，７１〜７５とが交互に積層されることにより構成される。第１のコンデンサ部２１１では、５つの第１の内部電極５１〜５５のうち２つの第１の内部電極５１，５２が、引き出し導体１７１〜１７４を介して対応する第１の端子電極３ａ〜３ｄに電気的に接続されている。また、５つの第２の内部電極７１〜７５のうち２つの第２の内部電極７１，７２が、引き出し導体１８１〜１８４を介して対応する第２の端子電極５ａ〜５ｄに電気的に接続されている。
【０２６７】
以上のように、本実施形態では、第１のコンデンサ部２１１を有することにより、第１７実施形態において記載したように、積層コンデンサの等価直列抵抗が所望の値に設定されるので、等価直列抵抗の制御を容易に且つ精度良く行うことができる。
【０２６８】
（第２７実施形態）
図３１を参照して、第２７実施形態に係る積層コンデンサの構成について説明する。第２７実施形態に係る積層コンデンサは、第１のコンデンサ部２１１の構成の点で第２５実施形態に係る積層コンデンサと相違する。図３１は、第２７実施形態に係る積層コンデンサに含まれる積層体の分解斜視図である。
【０２６９】
第２７実施形態に係る積層コンデンサは、図示は省略するが、第１２実施形態に係る積層コンデンサＣ４と同じく、積層体２０１と、当該積層体２０１に形成された第１の端子電極３ａ〜３ｄと、同じく積層体２０１に形成された第２の端子電極５ａ〜５ｄとを備えている。
【０２７０】
第１のコンデンサ部６１は、第２０実施形態に係る積層コンデンサにおける積層体１と、誘電体層３５の点を除いて同じ構成を有している。すなわち、第１のコンデンサ部２１１は、複数（本実施形態では、１１層）の誘電体層１１〜２０，３５と、複数（本実施形態では、各５層）の第１及び第１の内部電極５１〜５５，７１〜７５とが交互に積層されることにより構成される。第１のコンデンサ部２１１では、５つの第１の内部電極５１〜５５のうち１つの第１の内部電極５１が、引き出し導体１７１〜１７４を介して対応する第１の端子電極３ａ〜３ｄに電気的に接続されている。また、５つの第２の内部電極７１〜７５のうち１つの第２の内部電極７５が、引き出し導体１８１〜１８４を介して対応する第２の端子電極５ａ〜５ｄに電気的に接続されている。
【０２７１】
以上のように、本実施形態では、第１のコンデンサ部２１１を有することにより、第２０実施形態において記載したように、積層コンデンサの等価直列抵抗が所望の値に設定されるので、等価直列抵抗の制御を容易に且つ精度良く行うことができる。
【０２７２】
第１のコンデンサ部２１１の構成として、第１８、第１９及び第２１実施形態に係る積層コンデンサの積層体１と同じ構成（但し、誘電体層３５を除く）を採用してもよい。また、端子電極の数を増やし、第１のコンデンサ部２１１の構成として、第２２〜第２４実施形態に係る積層コンデンサの積層体１と同じ構成（但し、誘電体層３５を除く）を採用してもよい。
【０２７３】
第１〜第２７実施形態においては、引き出し導体１７１〜１７６，１８１〜１８６を介して端子電極３ａ〜３ｆ，５ａ〜５ｆに直接接続される内部電極の数及び積層方向での位置の少なくともいずれか一方を調整することにより、各積層コンデンサの等価直列抵抗が所望の値に設定している。この結果、各積層コンデンサの等価直列抵抗の制御を容易に且つ精度良く行うことができる。
【０２７４】
上述した第１の内部電極５１〜６９の数の調整は、１つ以上第１の内部電極５１〜６９の総数より１つ少ない数以下の範囲で行うことができる。上述した第２の内部電極７１〜８９の数の調整は、１つ以上第２の内部電極７１〜８９の総数より１つ少ない数以下の範囲で行うことができる。引き出し導体１７１〜１７６を介して端子電極３ａ〜３ｆに直接接続される第１の内部電極の数と、引き出し導体１８１〜１８６を介して端子電極５ａ〜５ｆに直接接続される第２の内部電極の数とは、異なってもよい。
【０２７５】
更に、スルーホール導体１３１ａ〜１６７ａ，１３１ｂ〜１６７ｂの数を調整して、各積層コンデンサの等価直列抵抗が所望の値に設定するようにしてもよい。この場合、各積層コンデンサの等価直列抵抗の制御をより一層精度良く行うことができる。
【０２７６】
スルーホール導体の数を調整する一例を、図３２に示す。図３２に示された積層コンデンサの積層体では、第２実施形態に係る積層コンデンサにおけるスルーホール導体１３１ａ〜１５３ａ，１３１ａ〜１５３ａの数をそれぞれ２つに設定することで、等価直列抵抗を所望の値に設定している。したがって、第１の内部電極５１〜６２同士は２つの通電経路を通して電気的に接続されることとなり、第２の内部電極７１〜８２同士も２つの通電経路を通して電気的に接続されることとなる。第２実施形態に係る積層コンデンサ以外の第１及び第３〜第２７実施形態に係る積層コンデンサにおけるスルーホール１３１ａ〜１６７ａ，１３１ｂ〜１６７ｂをそれぞれ複数に設定してもよい。
【０２７７】
以上、本発明の好適な実施形態について詳細に説明したが、本発明は上記実施形態及び変形例に限定されるものではない。例えば、誘電体層１１〜４９，２２３，２３３の積層数及び第１及び第２の内部電極５１〜６９，２２５，２３５，７１〜８９，２２７，２３７の積層数は、上述した実施形態に記載された数に限られない。また、端子電極３ａ〜３ｆ，５ａ〜５ｆの数も、上述した実施形態に記載された数に限られない。また、引き出し導体１７１〜１７６，１８１〜１８６を介して端子電極３ａ〜３ｆ，５ａ〜５ｆに直接接続される内部電極の数及び積層方向での位置は、上述した実施形態に記載された数及び位置に限られない。また、第１のコンデンサ部２１１の数及び積層方向での位置も、上述した実施形態に記載された数及び位置に限られない。
【図面の簡単な説明】
【０２７８】
【図１】第１実施形態に係る積層コンデンサを示す斜視図である。
【図２】第１実施形態に係る積層コンデンサに含まれる積層体の分解斜視図である。
【図３】第２実施形態に係る積層コンデンサに含まれる積層体の分解斜視図である。
【図４】第３実施形態に係る積層コンデンサに含まれる積層体の分解斜視図である。
【図５】第４実施形態に係る積層コンデンサに含まれる積層体の分解斜視図である。
【図６】第５実施形態に係る積層コンデンサに含まれる積層体の分解斜視図である。
【図７】第６実施形態に係る積層コンデンサに含まれる積層体の分解斜視図である。
【図８】第７実施形態に係る積層コンデンサに含まれる積層体の分解斜視図である。
【図９】第８実施形態に係る積層コンデンサに含まれる積層体の分解斜視図である。
【図１０】第９実施形態に係る積層コンデンサに含まれる積層体の分解斜視図である。
【図１１】第１０実施形態に係る積層コンデンサを示す斜視図である。
【図１２】第１０実施形態に係る積層コンデンサに含まれる積層体の分解斜視図である。
【図１３】第１１実施形態に係る積層コンデンサを示す斜視図である。
【図１４】第１１実施形態に係る積層コンデンサに含まれる積層体の分解斜視図である。
【図１５】第１２実施形態に係る積層コンデンサを示す斜視図である。
【図１６】第１２実施形態に係る積層コンデンサに含まれる積層体の分解斜視図である。
【図１７】第１３実施形態に係る積層コンデンサに含まれる積層体の分解斜視図である。
【図１８】第１４実施形態に係る積層コンデンサに含まれる積層体の分解斜視図である。
【図１９】第１５実施形態に係る積層コンデンサに含まれる積層体の分解斜視図である。
【図２０】第１６実施形態に係る積層コンデンサに含まれる積層体の分解斜視図である。
【図２１】第１７実施形態に係る積層コンデンサに含まれる積層体の分解斜視図である。
【図２２】第１８実施形態に係る積層コンデンサに含まれる積層体の分解斜視図である。
【図２３】第１９実施形態に係る積層コンデンサに含まれる積層体の分解斜視図である。
【図２４】第２０実施形態に係る積層コンデンサに含まれる積層体の分解斜視図である。
【図２５】第２１実施形態に係る積層コンデンサに含まれる積層体の分解斜視図である。
【図２６】第２２実施形態に係る積層コンデンサに含まれる積層体の分解斜視図である。
【図２７】第２３実施形態に係る積層コンデンサに含まれる積層体の分解斜視図である。
【図２８】第２４実施形態に係る積層コンデンサに含まれる積層体の分解斜視図である。
【図２９】第２５実施形態に係る積層コンデンサに含まれる積層体の分解斜視図である。
【図３０】第２６実施形態に係る積層コンデンサに含まれる積層体の分解斜視図である。
【図３１】第２７実施形態に係る積層コンデンサに含まれる積層体の分解斜視図である。
【図３２】第２実施形態に係る積層コンデンサに含まれる積層体の変形例の分解斜視図である。
【符号の説明】
【０２７９】
１…積層体、３ａ〜３ｆ…第１の端子電極、５ａ〜５ｆ…第２の端子電極、１１〜４９…誘電体層、５１〜６９…第１の内部電極、７１〜８９…第２の内部電極、９１〜１０９，１１１〜１２９…内部導体、１３１ａ〜１６６ａ，１３１ｂ〜１６６ｂ…スルーホール導体、１７１〜１７６，１８１〜１８６…引き出し導体、２０１…積層体、２１１…第１のコンデンサ部、２２１…第２のコンデンサ部、２２３…誘電体層、２２５…第１の内部電極、２２６…引き出し導体、２２７…第２の内部電極、２２８…引き出し導体、２３１…第３のコンデンサ部、２３３…誘電体層、２３５…第１の内部電極、２３６…引き出し導体、２３７…第２の内部電極、２３８…引き出し導体、Ｃ１〜Ｃ４…積層コンデンサ。
【図１】
2006210421.tif 000003
【図２】
2006210421.tif 000004
【図３】
2006210421.tif 000005
【図４】
2006210421.tif 000006
【図５】
2006210421.tif 000007
【図６】
2006210421.tif 000008
【図７】
2006210421.tif 000009
【図８】
2006210421.tif 000010
【図９】
2006210421.tif 000011
【図１０】
2006210421.tif 000012
【図１１】
2006210421.tif 000013
【図１２】
2006210421.tif 000014
【図１３】
2006210421.tif 000015
【図１４】
2006210421.tif 000016
【図１５】
2006210421.tif 000017
【図１６】
2006210421.tif 000018
【図１７】
2006210421.tif 000019
【図１８】
2006210421.tif 000020
【図１９】
2006210421.tif 000021
【図２０】
2006210421.tif 000022
【図２１】
2006210421.tif 000023
【図２２】
2006210421.tif 000024
【図２３】
2006210421.tif 000025
【図２４】
2006210421.tif 000026
【図２５】
2006210421.tif 000027
【図２６】
2006210421.tif 000028
【図２７】
2006210421.tif 000029
【図２８】
2006210421.tif 000030
【図２９】
2006210421.tif 000031
【図３０】
2006210421.tif 000032
【図３１】
2006210421.tif 000033
【図３２】
2006210421.tif 000034